(57)【特許請求の範囲】
【請求項１】
紙葉類を受け入れるとともに、受け入れられた紙葉類を筐体の外部から内部に投入するための投入部と、
前記筐体の内部で紙葉類を搬送する搬送部と、
前記搬送部により搬送される紙葉類を識別する識別部と、
前記搬送部から送られた紙葉類を収納する収納部と、
前記収納部に収納可能な紙葉類の量である収納可能量に係る情報を取得する収納可能量取得手段と、
前記投入部における紙葉類の受入量を、前記収納可能量取得手段により取得された前記収納可能量以下に制限するための受入量規制手段と、
前記収納部における紙葉類の収納空間を複数の紙葉類収納領域に区分け可能な区分け機構と、
を備え、
前記収納可能量取得手段は、前記収納部における、前記区分け機構により区分けされた、前記搬送部から紙葉類を送ることが可能な紙葉類収納領域の大きさに基づいて前記収納可能量に係る情報を取得する、紙葉類処理装置。             
【請求項２】
前記収納部は一時保留部である、請求項１記載の紙葉類処理装置。
【請求項３】
前記投入部により前記筐体の内部に投入された紙葉類を前記識別部により識別させた後に前記一時保留部に送るとともに前記一時保留部に保留されている紙葉類について受入確定の指令が与えられると前記一時保留部に保留されている紙葉類を前記一時保留部とは別に設けられた追加収納部に送ってこの追加収納部に収納させるような通常受入処理が行われるようになっており、
前記通常受入処理が行われている間に、新たな受入処理の指令が与えられると、前記通常受入処理が中断されるとともに前記一時保留部に既に保留されている紙葉類が前記区分け機構によりある前記紙葉類収納領域に区分けされ、その後に前記投入部により前記筐体の内部に投入された紙葉類を前記識別部により識別させた後に前記一時保留部における前記区分け機構により区分けされた別の前記紙葉類収納領域に送るような割込受入処理が行われるようになっており、
前記収納可能量取得手段は、前記割込受入処理が行われる際に、前記一時保留部に収納可能な紙葉類の量である収納可能量に係る情報を取得し、
前記受入量規制手段は、前記割込受入処理が行われる際に、前記投入部における紙葉類の受入量を、前記収納可能量取得手段により取得された前記収納可能量以下に制限する、請求項２記載の紙葉類処理装置。
【請求項４】
前記受入量規制手段は、前記投入部に設けられ、当該投入部に受け入れられた紙葉類を押さえるために移動可能となっている押さえ部材を有しており、前記押さえ部材の位置が変わることにより前記投入部における紙葉類の受入量が制限されるようになっている、請求項１乃至３のいずれか一項に記載の紙葉類処理装置。
【請求項５】
前記押さえ部材の位置が所定の位置まで移動したときに前記投入部における紙葉類の受入量が制限されることを操作者に案内する案内部が設けられている、請求項４記載の紙葉類処理装置。
【請求項６】
前記収納可能量取得手段により取得された前記収納可能量を報知する報知手段を更に備えた、請求項１乃至５のいずれか一項に記載の紙葉類処理装置。
【請求項７】
前記報知手段は、前記収納可能量取得手段により取得された前記収納可能量を表示する表示部を有している、請求項６記載の紙葉類処理装置。
【請求項８】
紙葉類を受け入れるとともに、受け入れられた紙葉類を筐体の外部から内部に投入するための投入部、前記筐体の内部で紙葉類を搬送する搬送部、前記搬送部により搬送される紙葉類を識別する識別部、前記搬送部から送られた紙葉類を収納する収納部、および前記収納部における紙葉類の収納空間を複数の紙葉類収納領域に区分け可能な区分け機構を有する紙葉類処理装置と、
前記紙葉類処理装置とは別に設けられ、当該紙葉類処理装置の管理を行う管理装置と、
を備えた紙葉類処理システムであって、
前記収納部に収納可能な紙葉類の量である収納可能量に係る情報を取得する収納可能量取得手段と、
前記投入部における紙葉類の受入量を、前記収納可能量取得手段により取得された前記収納可能量以下に制限するための受入量規制手段と、
を備え、
前記収納可能量取得手段は、前記収納部における、前記区分け機構により区分けされた、前記搬送部から紙葉類を送ることが可能な紙葉類収納領域の大きさに基づいて前記収納可能量に係る情報を取得する、紙葉類処理システム。
【請求項９】
前記収納可能量取得手段は前記管理装置に設けられている、請求項８記載の紙葉類処理システム。
【請求項１０】
紙葉類を受け入れるとともに、受け入れられた紙葉類を筐体の外部から内部に投入するための投入部、前記筐体の内部で紙葉類を搬送する搬送部、前記搬送部により搬送される紙葉類を識別する識別部、前記搬送部から送られた紙葉類を収納する収納部、および前記収納部における紙葉類の収納空間を複数の紙葉類収納領域に区分け可能な区分け機構を有する紙葉類処理装置による紙葉類処理方法であって、
前記収納部における、前記区分け機構により区分けされた、前記搬送部から紙葉類を送ることが可能な紙葉類収納領域の大きさに基づいて収納可能量に係る情報を取得する工程と、
前記投入部における紙葉類の受入量を、取得された前記収納可能量以下に制限する工程と、
を備えた、紙葉類処理方法。
【発明の詳細な説明】
【技術分野】
【０００１】
本発明は、紙幣や小切手、商品券等からなる紙葉類の少なくとも受入（入金）処理を行う紙葉類処理装置、このような紙葉類処理装置を備えた紙葉類処理システムおよびこのような紙葉類処理装置による紙葉類処理方法に関する。
【背景技術】
【０００２】
紙幣の入金処理や出金処理等の様々な処理を行う紙幣処理装置として様々なタイプのものがある。例えば、特許文献１に開示される紙幣処理装置では、入金処理を行う際に、投入口により筐体の内部に投入された紙幣を識別部により識別した後に入金一時保留部に保留させ、入金確定の指令を受け付けると入金一時保留部に保留されている紙幣をこの入金一時保留部から繰り出させて金種別収納部に金種別に収納させるようになっている。また、特許文献１に開示される紙幣処理装置では、入金一時保留部における紙幣の保留領域を区分け部材により複数の領域に区分けすることができるようになっており、このことにより第１の入金処理の紙幣が一時保留部に保留されている状態で第２の入金処理を受け付けることができるようになっている。
【先行技術文献】
【特許文献】
【０００３】
【特許文献１】特願２０１５−０７２４６８
【発明の概要】
【発明が解決しようとする課題】
【０００４】
特許文献１等に開示されるような紙幣処理装置では、第２の入金処理を行う際に、一時保留部における区分け部材により区分けされた領域（すなわち、空き容量）が制限されるため、紙幣の入金可能枚数が制限されてしまう。例えば、筐体の外部から内部に紙幣を投入するための投入口の容量が５００枚であり、一時保留部に保留することができる紙幣の枚数が２０００枚である場合において、通常の入金処理では投入口に紙幣を追加投入することにより２０００枚まで入金することができる。しかしながら、第２の入金処理を行う際に、一時保留部における区分け部材により区分けされた領域に紙幣を１５０枚しか収納することができない場合には、投入口に５００枚の紙幣をセットして第２の入金処理を行うと一時保留部に１５０枚の紙幣が送られたときに第２の入金処理が中断してしまう。この場合には、第２の入金処理を取りやめて一時保留部に保留されている紙幣を返却したり、一時保留部に保留されている紙幣を金種別収納部等に振り分ける等の処理が必要となり、作業性が悪くなってしまうという問題がある。
【０００５】
本発明は、このような点を考慮してなされたものであり、一時保留部等の収納部において収納可能な紙葉類の量が変化した場合でも、投入部に受け入れられた紙葉類を全て収納部に送ることができ、よって紙葉類の受入（入金）処理が途中で中断されてしまうことを防止することができる紙葉類処理装置、紙葉類処理システムおよび紙葉類処理方法を提供することを目的とする。
【課題を解決するための手段】
【０００６】
本発明の紙葉類処理装置は、紙葉類を受け入れるとともに、受け入れられた紙葉類を筐体の外部から内部に投入するための投入部と、前記筐体の内部で紙葉類を搬送する搬送部と、前記搬送部により搬送される紙葉類を識別する識別部と、前記搬送部から送られた紙葉類を収納する収納部と、前記収納部に収納可能な紙葉類の量である収納可能量に係る情報を取得する収納可能量取得手段と、前記投入部における紙葉類の受入量を、前記収納可能量取得手段により取得された前記収納可能量以下に制限するための受入量規制手段と、前記収納部における紙葉類の収納空間を複数の紙葉類収納領域に区分け可能な区分け機構と、を備え、前記収納可能量取得手段は、前記収納部における、前記区分け機構により区分けされた、前記搬送部から紙葉類を送ることが可能な紙葉類収納領域の大きさに基づいて前記収納可能量に係る情報を取得することを特徴とする。
【０００７】
このような紙葉類処理装置によれば、収納部に収納可能な紙葉類の量である収納可能量に係る情報を取得し、投入部における紙葉類の受入量を、この取得された収納可能量以下に制限することにより、収納部において収納可能な紙葉類の量が変化した場合でも、投入部に受け入れられた紙葉類を全て収納部に送ることができ、よって紙葉類の受入（入金）処理が途中で中断されてしまうことを防止することができる。
【０００８】
本発明の紙葉類処理装置においては、前記収納部は一時保留部であってもよい。
【００１０】
また、前記投入部により前記筐体の内部に投入された紙葉類を前記識別部により識別させた後に前記一時保留部に送るとともに前記一時保留部に保留されている紙葉類について受入確定の指令が与えられると前記一時保留部に保留されている紙葉類を前記一時保留部とは別に設けられた追加収納部に送ってこの追加収納部に収納させるような通常受入処理が行われるようになっており、前記通常受入処理が行われている間に、新たな受入処理の指令が与えられると、前記通常受入処理が中断されるとともに前記一時保留部に既に保留されている紙葉類が前記区分け機構によりある前記紙葉類収納領域に区分けされ、その後に前記投入部により前記筐体の内部に投入された紙葉類を前記識別部により識別させた後に前記一時保留部における前記区分け機構により区分けされた別の前記紙葉類収納領域に送るような割込受入処理が行われるようになっており、前記収納可能量取得手段は、前記割込受入処理が行われる際に、前記一時保留部に収納可能な紙葉類の量である収納可能量に係る情報を取得し、前記受入量規制手段は、前記割込受入処理が行われる際に、前記投入部における紙葉類の受入量を、前記収納可能量取得手段により取得された前記収納可能量以下に制限するようになっていてもよい。
【００１１】
本発明の紙葉類処理装置においては、前記受入量規制手段は、前記投入部に設けられ、当該投入部に受け入れられた紙葉類を押さえるために移動可能となっている押さえ部材を有しており、前記押さえ部材の位置が変わることにより前記投入部における紙葉類の受入量が制限されるようになっていてもよい。
【００１２】
この場合、前記押さえ部材の位置が所定の位置まで移動したときに前記投入部における紙葉類の受入量が制限されることを操作者に案内する案内部が設けられていてもよい。
【００１３】
本発明の紙葉類処理装置は、前記収納可能量取得手段により取得された前記収納可能量を報知する報知手段を更に備えていてもよい。
【００１４】
この場合、前記報知手段は、前記収納可能量取得手段により取得された前記収納可能量を表示する表示部を有していてもよい。
【００１５】
本発明の紙葉類処理システムは、紙葉類を受け入れるとともに、受け入れられた紙葉類を筐体の外部から内部に投入するための投入部、前記筐体の内部で紙葉類を搬送する搬送部、前記搬送部により搬送される紙葉類を識別する識別部、前記搬送部から送られた紙葉類を収納する収納部、および前記収納部における紙葉類の収納空間を複数の紙葉類収納領域に区分け可能な区分け機構を有する紙葉類処理装置と、前記紙葉類処理装置とは別に設けられ、当該紙葉類処理装置の管理を行う管理装置と、を備えた紙葉類処理システムであって、前記収納部に収納可能な紙葉類の量である収納可能量に係る情報を取得する収納可能量取得手段と、前記投入部における紙葉類の受入量を、前記収納可能量取得手段により取得された前記収納可能量以下に制限するための受入量規制手段と、を備え、前記収納可能量取得手段は、前記収納部における、前記区分け機構により区分けされた、前記搬送部から紙葉類を送ることが可能な紙葉類収納領域の大きさに基づいて前記収納可能量に係る情報を取得することを特徴とする。
【００１６】
このような紙葉類処理システムによれば、紙葉類処理装置の収納部に収納可能な紙葉類の量である収納可能量に係る情報を取得し、投入部における紙葉類の受入量を、この取得された収納可能量以下に制限することにより、収納部において収納可能な紙葉類の量が変化した場合でも、投入部に受け入れられた紙葉類を全て収納部に送ることができ、よって紙葉類の受入（入金）処理が途中で中断されてしまうことを防止することができる。
【００１７】
本発明の紙葉類処理システムにおいては、前記収納可能量取得手段は前記管理装置に設けられていてもよい。
【００１８】
本発明の紙葉類処理方法は、紙葉類を受け入れるとともに、受け入れられた紙葉類を筐体の外部から内部に投入するための投入部、前記筐体の内部で紙葉類を搬送する搬送部、前記搬送部により搬送される紙葉類を識別する識別部、前記搬送部から送られた紙葉類を収納する収納部、および前記収納部における紙葉類の収納空間を複数の紙葉類収納領域に区分け可能な区分け機構を有する紙葉類処理装置による紙葉類処理方法であって、前記収納部における、前記区分け機構により区分けされた、前記搬送部から紙葉類を送ることが可能な紙葉類収納領域の大きさに基づいて収納可能量に係る情報を取得する工程と、前記投入部における紙葉類の受入量を、取得された前記収納可能量以下に制限する工程と、を備えたことを特徴とする。
【００１９】
このような紙葉類処理方法によれば、紙葉類処理装置の収納部に収納可能な紙葉類の量である収納可能量に係る情報を取得し、投入部における紙葉類の受入量を、この取得された収納可能量以下に制限することにより、収納部において収納可能な紙葉類の量が変化した場合でも、投入部に受け入れられた紙葉類を全て収納部に送ることができ、よって紙葉類の受入（入金）処理が途中で中断されてしまうことを防止することができる。
【発明の効果】
【００２０】
本発明の紙葉類処理装置、紙葉類処理システムおよび紙葉類処理方法によれば、収納部において収納可能な紙葉類の量が変化した場合でも、投入部に受け入れられた紙葉類を全て収納部に送ることができ、よって紙葉類の受入（入金）処理が途中で中断されてしまうことを防止することができる。
【図面の簡単な説明】
【００２１】
【図１】本発明の実施の形態による貨幣入出金機の外観を示す斜視図である。
【図２】図１に示す貨幣入出金機における紙幣入出金装置を右側方から見たときの内部構成を概略的に示す概略構成図である。
【図３】図２に示す紙幣入出金装置の入金一時保留部の構成を示す側面図である。
【図４】図２に示す紙幣入出金装置の筐体に設けられた前扉（下部扉）を背面側から見たときの構成を示す斜視図である。
【図５】図３等に示す入金一時保留部の構成を示す斜視図である。
【図６】図５に示す入金一時保留部の構成を示す斜視図であって、（ａ）は、セパレータが退避位置にあるときの状態を示す図であり、（ｂ）は、セパレータが区分け位置にあるときの状態を示す図である。
【図７】図１に示す貨幣入出金機における制御系の構成を示す機能ブロック図である。
【図８】（ａ）〜（ｆ）は、図１に示す貨幣入出金機の紙幣入出金装置においてバラ紙幣の通常入金処理が中断されて割込入金処理が行われる際のバラ紙幣の搬送経路を順に示す説明図である。
【図９】（ａ）〜（ｄ）は、図１に示す貨幣入出金機の紙幣入出金装置においてバラ紙幣の通常入金処理が中断されて割込入金処理が行われる際の入金一時保留部のセパレータの動作を順に示す側面図である。
【図１０】図２に示す紙幣入出金装置の投入部および繰出部の構成を示す側面図である。
【図１１】図１０に示す投入部において押さえ部材が下方に移動したときの状態を示す側面図である。
【図１２】図２に示す紙幣入出金装置の投入部において押さえ部材が下方に移動したときに当該投入部の内部を筐体の前面側から見たときの構成を示す正面図である。
【図１３】図１に示す貨幣入出金機の操作表示部に表示されるメニュー画面を示す図である。
【図１４】図１に示す貨幣入出金機において割込入金処理を行うことが可能となっている状態における操作表示部に表示されるメニュー画面を示す図である。
【図１５】図１に示す貨幣入出金機において割込入金処理が行われる際に操作表示部に表示される入金画面を示す図である。
【図１６】変形例に係る紙幣処理装置を側方から見たときの内部構成を示す側面図である。
【図１７】別の変形例に係る有価媒体処理装置を側方から見たときの内部構成を示す側面図である。
【発明を実施するための形態】
【００２２】
以下、図面を参照して本発明の実施の形態について説明する。図１乃至図１５は、本実施の形態による貨幣入出金機を示す図である。このうち、図１は、本実施の形態による貨幣入出金機の外観を示す斜視図であり、図２は、図１に示す貨幣入出金機における紙幣入出金装置を右側方から見たときの内部構成を概略的に示す概略構成図である。また、図３は、図２に示す紙幣入出金装置の入金一時保留部の構成を示す側面図であり、図４は、図２に示す紙幣入出金装置の筐体に設けられた前扉（下部扉）を背面側から見たときの構成を示す斜視図である。また、図５は、図３等に示す入金一時保留部の構成を示す斜視図であり、図６（ａ）（ｂ）は、図５に示す入金一時保留部の構成を示す斜視図である。また、図７は、図１に示す貨幣入出金機における制御系の構成を示す機能ブロック図である。また、図８（ａ）〜図８（ｆ）は、図１に示す貨幣入出金機の紙幣入出金装置においてバラ紙幣の通常入金処理が中断されて割込入金処理が行われる際のバラ紙幣の搬送経路を順に示す説明図であり、図９（ａ）〜図９（ｄ）は、図１に示す貨幣入出金機の紙幣入出金装置においてバラ紙幣の通常入金処理が中断されて割込入金処理が行われる際の入金一時保留部のセパレータの動作を順に示す側面図である。また、図１０および図１１は、図２に示す紙幣入出金装置の投入部および繰出部の構成を示す側面図であり、図１２は、図２に示す紙幣入出金装置の投入部において押さえ部材が下方に移動したときに当該投入部の内部を筐体の前面側から見たときの構成を示す正面図である。また、図１３および図１４は、それぞれ、図１に示す貨幣入出金機の操作表示部に表示されるメニュー画面を示す図であり、図１５は、図１に示す貨幣入出金機において割込入金処理が行われる際に操作表示部に表示される入金画面を示す図である。
【００２３】
図１に示すように、本実施の形態による貨幣入出金機１は、紙幣入出金装置１０および硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。なお、貨幣入出金機１における紙幣入出金装置１０および硬貨入出金装置１１０のうち硬貨入出金装置１１０の詳細な説明は省略する。
【００２４】
本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００２５】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。投入部１４の構成の詳細については後述する。
【００２６】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図７参照）によりそれぞれ駆動されるようになっている。
【００２７】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００２８】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができないようになっている。
【００２９】
図２に示すように、投入部１４には、当該投入部１４に投入されたバラ紙幣を１枚ずつ筐体１２の内部に繰り出すための繰出部１６が設けられている。繰出部１６の構成の詳細については後述する。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００３０】
また、図２に示すように、搬送部１８には入金一時保留部３０（収納部）および複数（図２に示す例では４つ）のバラ紙幣収納部３２（追加収納部）がそれぞれ接続されており、搬送部１８からこれらの入金一時保留部３０や各バラ紙幣収納部３２にバラ紙幣が送られるようになっている。これらの入金一時保留部３０や各バラ紙幣収納部３２には図２における上下方向に移動可能となっているステージ３０ａ、３２ａがそれぞれ設けられており、これらのステージ３０ａ、３２ａ上でバラ紙幣が積層状態で集積されるようになっている。
【００３１】
また、入金一時保留部３０の上端部の近傍には紙幣繰出繰入部３０ｂが設けられており、当該入金一時保留部３０に一時的に保留されているバラ紙幣は紙幣繰出繰入部３０ｂにより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。ここで、入金一時保留部３０には、バラ紙幣の入金処理において識別部２０により識別されたバラ紙幣が各バラ紙幣収納部３２に収納される前に一時的に保留されるようになっている。また、入金一時保留部３０には、当該入金一時保留部３０におけるバラ紙幣の保留空間を２つの紙幣収納領域に区分け可能なセパレータ３０ｃが図２における上下方向に移動自在に設けられている。このような入金一時保留部３０の構成の詳細については後述する。
【００３２】
また、各バラ紙幣収納部３２の上端部の近傍には紙幣繰出繰入部３２ｂが設けられており、各バラ紙幣収納部３２に収納されているバラ紙幣は紙幣繰出繰入部３２ｂにより１枚ずつ搬送部１８に繰り出されるようになっている。また、紙幣繰出繰入部３２ｂにより搬送部１８から各バラ紙幣収納部３２にバラ紙幣が１枚ずつ繰り入れられるようになっている。ここで、各バラ紙幣収納部３２には、それぞれ予め設定された特定の金種のバラ紙幣が収納されるようになっている。なお、予め設定された特定の金種のバラ紙幣が収納されるバラ紙幣収納部３２が４つ設けられる代わりに、複数のバラ紙幣収納部３２のうち少なくとも１つのバラ紙幣収納部３２に複数の金種のバラ紙幣が混合状態で収納されるようになっていてもよい。また、複数の金種のバラ紙幣が混合状態で収納されるバラ紙幣収納部３２からバラ紙幣を搬送部１８に繰り出すことができないようになっていてもよい。
【００３３】
図１および図２に示すように、筐体１２の下部には下部扉１２ａが設けられており、この下部扉１２ａを開くことにより操作者は入金一時保留部３０の内部にアクセスすることができるようになっている。このような下部扉１２ａの構成の詳細については後述する。また、入金一時保留部３０および各バラ紙幣収納部３２は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は各バラ紙幣収納部３２を引出ユニット１３から取り外したり引出ユニット１３に装着したりすることができるようになる。また、本実施の形態による紙幣入出金装置１０では、引出ユニット１３を筐体１２の内部にロックするためのロック機構５０（図７参照）が引出ユニット１３に設けられている。
【００３４】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００３５】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００３６】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に帯封紙幣が受け渡された後、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００３７】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００３８】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００３９】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００４０】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルに到達し、シャッター４８ａが開く。このことにより、操作者は帯封紙幣投出部４８の内部にアクセスしてステージ４６ａ上に集積されている帯封紙幣を筐体１２の外部に取り出すことができるようになる。
【００４１】
次に、本実施の形態の紙幣入出金装置１０における入金一時保留部３０および下部扉１２ａの構成の詳細について図３乃至図６を用いて説明する。
【００４２】
上述したように、本実施の形態の紙幣入出金装置１０における入金一時保留部３０の内部にはステージ３０ａが設けられている。ステージ３０ａは図２における上下方向に移動可能となっており、搬送部１８から紙幣繰出繰入部３０ｂにより入金一時保留部３０の内部に送られたバラ紙幣はステージ３０ａ上に積層状態で集積されるようになっている。また、この際に、搬送部１８から入金一時保留部３０の内部に所定枚数のバラ紙幣が送られる度にステージ３０ａは少しずつ図２における下方向に移動するようになっている。また、入金一時保留部３０の内部に一時的に保留されているバラ紙幣を紙幣繰出繰入部３０ｂにより搬送部１８に繰り出す場合には、ステージ３０ａが図２における上方向に移動し、このステージ３０ａに積層状態で集積されている複数のバラ紙幣のうち最上層に位置するバラ紙幣を紙幣繰出繰入部３０ｂのキッカローラ８０ｂ（後述）に当接させるようになっている。
【００４３】
このようなステージ３０ａは図３に示す駆動部９１により図２や図３における上下方向に移動させられるようになっている。駆動部９１は、駆動モータ９１ａと、駆動モータ９１ａのプーリに掛けられた循環ベルト９１ｂとを有しており、この循環ベルト９１ｂにステージ３０ａが取り付けられている。また、循環ベルト９１ｂは概ね入金一時保留部３０の内部で上下方向に延びるよう設けられている。また、駆動モータ９１ａは正逆両方向に回転可能となっており、このことにより循環ベルト９１ｂは図３における時計回りの方向および反時計回りの方向の両方向に循環移動することができるようになっている。そして、駆動モータ９１ａが回転して循環ベルト９１ｂが循環移動を行うことにより、この循環ベルト９１ｂに取り付けられたステージ３０ａが図３における上下方向に移動するようになる。
【００４４】
また、ステージ３０ａには検知板９０ａが取り付けられており、入金一時保留部３０の内部における下部領域にはこの検知板９０ａを検知するためのフォトインタラプタ等の２つの検知センサ９２ａ、９２ｂが設けられている。ここで、ステージ３０ａが上方位置に位置するときにはこのステージ３０ａに取り付けられている検知板９０ａが各検知センサ９２ａ、９２ｂにより検知されないが、ステージ３０ａが下降するとまず検知板９０ａが上側の検知センサ９２ａにより検知される。そして、ステージ３０ａが更に下降すると検知板９０ａが下側の検知センサ９２ｂにより検知される。ここで、下側の検知センサ９２ｂはステージ３０ａが下限位置に到達したことを検知するための下限センサとして機能するようになっており、下側の検知センサ９２ｂにより検知板９０ａが検知されると駆動部９１の駆動モータ９１ａが停止させられてステージ３０ａが下方向にこれ以上移動しないようになっている。
【００４５】
図３や図５等に示すように、入金一時保留部３０の上端部近傍に設けられた紙幣繰出繰入部３０ｂは、左右一対のフィードローラ８０ａと、左右一対のキッカローラ８０ｂと、各フィードローラ８０ａに対向するよう設けられたゲートローラ８０ｃとを有している。ここで、搬送部１８から紙幣繰出繰入部３０ｂにより入金一時保留部３０にバラ紙幣を送る際には、各フィードローラ８０ａと各ゲートローラ８０ｃとの間に形成されたゲート部を通過したバラ紙幣が入金一時保留部３０の内部に送られてステージ３０ａ上に集積されるようになる。また、入金一時保留部３０に一時的に保留されているバラ紙幣を紙幣繰出繰入部３０ｂにより搬送部１８に繰り出す際には、ステージ３０ａに集積されている複数のバラ紙幣のうち最上層に位置するバラ紙幣が各キッカローラ８０ｂにより各フィードローラ８０ａに向かって蹴り出され、これらのキッカローラ８０ｂにより蹴り出されたバラ紙幣が各フィードローラ８０ａにより１枚ずつ搬送部１８に繰り出されるようになる。この際に、各フィードローラ８０ａにより繰り出されるバラ紙幣は各フィードローラ８０ａと各ゲートローラ８０ｃとの間に形成されたゲート部を通過することにより１枚ずつに分離されるようになっている。
【００４６】
また、本実施の形態の紙幣入出金装置１０では、入金一時保留部３０の内部においてステージ３０ａの上方にセパレータ３０ｃ（区分け部材）が設けられており、このセパレータ３０ｃにより入金一時保留部３０の内部を複数（図２や図３に示す例では２つ）の紙幣収納領域に区分けることができるようになっている。ここで、セパレータ３０ｃは、入金一時保留部３０の内部を２つの紙幣収納領域に区分ける区分け位置（具体的には、図２において二点鎖線で示す位置）と、入金一時保留部３０の内部を１つの紙幣収納領域とする退避位置（具体的には、図２において実線で示す位置）との間で図２における上下方向に移動自在となっている。より詳細には、セパレータ３０ｃが区分け位置に移動したときには、当該セパレータ３０ｃは紙幣繰出繰入部３０ｂの下方に位置するようになる。このことにより、ステージ３０ａとセパレータ３０ｃとの間に第１紙幣収納領域が形成されるとともに、セパレータ３０ｃと紙幣繰出繰入部３０ｂとの間に第２紙幣収納領域が形成されるようになる。一方、セパレータ３０ｃが退避位置に移動したときには、当該セパレータ３０ｃは、後述するように上側セパレータ部分９４が後退位置にあって前後方向に縮小した状態となって紙幣繰出繰入部３０ｂの手前側（前方）に位置するようになる。このことにより、ステージ３０ａと紙幣繰出繰入部３０ｂとの間に１つの紙幣収納領域が形成されるようになる（図３において参照符合３０ｐで表示）。なお、本実施の形態では、セパレータ３０ｃには当該セパレータ３０ｃを入金一時保留部３０の内部で上下方向に移動させる駆動源が設けられておらず、セパレータ３０ｃはステージ３０ａと連れ立って入金一時保留部３０の内部で上下方向に移動するようになっている。
【００４７】
本実施の形態では、図３、図５および図６に示すように、セパレータ３０ｃは、上側セパレータ部分９４および下側セパレータ部分９６からなる２つのセパレータ部分から構成されている。なお、図６（ａ）は、セパレータ３０ｃが退避位置にあるときの上側セパレータ部分９４および下側セパレータ部分９６の状態を示す図であり、図６（ｂ）は、セパレータ３０ｃが区分け位置にあるときの上側セパレータ部分９４および下側セパレータ部分９６の状態を示す図である。ここで、セパレータ３０ｃが図６（ａ）に示すような退避位置にあるときには、当該セパレータ３０ｃは図示しないロック部によってロックされ、退避位置からセパレータ３０ｃが自重により入金一時保留部３０内で下方向に落下しないようになっている。一方、このようなロック部によるセパレータ３０ｃのロックが外れると、当該セパレータ３０ｃは自重により入金一時保留部３０内で下方向に落下するようになり、ステージ３０ａに集積されている紙幣の上にセパレータ３０ｃが載るようになる。この際に、ステージ３０ａに紙幣が集積されていない場合には、ステージ３０ａにセパレータ３０ｃが直接載るようになる。
【００４８】
また、入金一時保留部３０の内部における上下方向の中央位置には、セパレータ３０ｃ（具体的には、下側セパレータ部分９６）の移動を規制するための規制部材（図示せず）が設けられており、ロック部によるロックが解除されたセパレータ３０ｃの下側セパレータ部分９６はこの規制部材よりも下方に移動することができないようになっている。
【００４９】
また、図３、図５および図６に示すように、上側セパレータ部分９４の奥行き方向の長さは、下側セパレータ部分９６の奥行き方向の長さの約半分の大きさとなっている。また、上側セパレータ部分９４は、下側セパレータ部分９６の奥行き方向における手前側の半分の領域である後退位置と、下側セパレータ部分９６の奥行き方向における奥側の半分の領域である進出位置との間で移動自在となっている。より詳細には、上側セパレータ部分９４と下側セパレータ部分９６との間には図３における左右方向に伸縮可能となっているパンタグラフ機構（図示せず）が設けられており、このパンタグラフ機構が伸縮すると下側セパレータ部分９６に対して上側セパレータ部分９４が図３における左右方向に移動するようになる。このことにより、セパレータ３０ｃが図２に示すような実線位置に位置するときには、下側セパレータ部分９６を図６（ａ）に示すような後退位置に位置させることにより、この下側セパレータ部分９６と紙幣繰出繰入部３０ｂの各キッカローラ８０ｂとが衝突してしまうことを防止することができるようになる。
【００５０】
また、図３に示すように、入金一時保留部３０の内部には、上側セパレータ部分９４の位置を検知するためのフォトインタラプタ等の３つの検知センサ９５ａ、９５ｂ、９５ｃが設けられている。ロック部によりセパレータ３０ｃがロックされており、当該セパレータ３０ｃが図２の実線で示すような退避位置に位置しているときには、上側セパレータ部分９４に取り付けられた検知板９４ａが検知センサ９５ｃにより検知されるようになる。このことにより、後述する制御部３００においてセパレータ３０ｃが図２の実線で示すような退避位置に位置していると判断されるようになる。一方、ロック部によるセパレータ３０ｃのロックが解除され、当該セパレータ３０ｃが図２の実線で示すような退避位置から下方向に移動すると、上側セパレータ部分９４に取り付けられた検知板９４ａが検知センサ９５ａ、９５ｂにより検知されるようになる。このようにして、セパレータ３０ｃが図２の実線で示すような退避位置から下方向に移動したときの当該セパレータ３０ｃの位置が検知されるようになる。
【００５１】
本実施の形態では、このようなセパレータ３０ｃおよび当該セパレータ３０ｃを退避位置にロックするロック部等により、入金一時保留部３０におけるバラ紙幣の保留空間を複数（具体的には、２つ）の紙幣収納領域に区分け可能な区分け機構が構成されている。
【００５２】
また、本実施の形態の紙幣入出金装置１０では、図４および図５に示すように、筐体１２に設けられた下部扉１２ａは外扉部分１２ｂおよび内扉部分１２ｃからなる二重の扉部分から構成されている。ここで、内扉部分１２ｃは外扉部分１２ｂにロック可能となっているとともに、この内扉部分１２ｃは筐体１２にもロック可能となっている。内扉部分１２ｃが外扉部分１２ｂにロックされた場合には、これらの外扉部分１２ｂおよび内扉部分１２ｃは一体的に開閉するようになり、外扉部分１２ｂおよび内扉部分１２ｃを開くと入金一時保留部３０におけるセパレータ３０ｃにより区分けされた全ての紙幣収納領域（すなわち、上述したようなセパレータ３０ｃより下側の第１紙幣収納領域およびセパレータ３０ｃより上側の第２紙幣収納領域の両方）にアクセス可能となる。このことにより、操作者は外扉部分１２ｂおよび内扉部分１２ｃを一体的に開いたときに入金一時保留部３０におけるセパレータ３０ｃにより区分けされた各紙幣収納領域からバラ紙幣を取り出したりこれらの各紙幣収納領域にバラ紙幣を投入したりすることができるようになる。
【００５３】
一方、内扉部分１２ｃが筐体１２にロックされた場合には、この内扉部分１２ｃを動かすことができなくなるため外扉部分１２ｂのみが開閉するようになる。この場合には、外扉部分１２ｂを開いたときに、入金一時保留部３０におけるセパレータ３０ｃにより区分けされた複数の紙幣収納領域のうち一部の紙幣収納領域（具体的には、セパレータ３０ｃと紙幣繰出繰入部３０ｂとの間にある第２紙幣収納領域）のみにアクセス可能となる。このことにより、操作者は外扉部分１２ｂのみを開いたときにセパレータ３０ｃと紙幣繰出繰入部３０ｂとの間にある第２紙幣収納領域からバラ紙幣を取り出したりこの第２紙幣収納領域にバラ紙幣を投入したりすることができるようになるが、ステージ３０ａとセパレータ３０ｃとの間にある第１紙幣収納領域からバラ紙幣を取り出したりこの第１紙幣収納領域にバラ紙幣を投入したりすることができなくなる。ここで、第１紙幣収納領域からバラ紙幣を取り出すことができないようにするために、内扉部分１２ｃの上端縁の高さは、規制部材（図示せず）によりその下限位置が規制されたセパレータ３０ｃ（具体的には、下側セパレータ部分９６）の当該下限位置と同じ高さかそれよりも高い位置に設定されている。なお、内扉部分１２ｃを外扉部分１２ｂと筐体１２のどちらの側にロックするかは、操作者がアクセスしようとする紙幣収納領域によって決められるようになっている。また、ロック機構としては、例えば電気的ロック機構が用いられるようになっている。このような下部扉１２ａの構造によれば、アクセスしようとする紙幣収納領域に関係なく、操作者にしてみれば外扉部分１２ｂを開けるという共通の動作で、第１紙幣収納領域と第２紙幣収納領域の両方にアクセスできたり、あるいは第２紙幣収納領域のみにアクセスできたりするので扱いやすく操作性に優れたものとなる。
【００５４】
また、図２に示すように、本実施の形態による紙幣入出金装置１０において、入金一時保留部３０への出入り口（具体的には、紙幣繰出繰入部３０ｂの近傍）には紙幣検知センサ３１が設けられており、搬送部１８から入金一時保留部３０に送られる直前のバラ紙幣や入金一時保留部３０から紙幣繰出繰入部３０ｂにより繰り出された直後のバラ紙幣が紙幣検知センサ３１により検知されるようになっている。このような紙幣検知センサ３１によるバラ紙幣の検知情報は後述する制御部３００に送られるようになっている。
【００５５】
次に、本実施の形態の紙幣入出金装置１０における投入部１４および繰出部１６の構成の詳細について図１０を用いて説明する。
【００５６】
図１０に示すように、繰出部１６は、フィードローラ１６ａと、直列に並ぶよう設けられた２つのキッカローラ１６ｂと、フィードローラ１６ａに対向するよう設けられたゲートローラ１６ｃとを有している。ここで、投入部１４に投入されたバラ紙幣を繰出部１６により搬送部１８に繰り出す際に、投入部１４の載置板１４ｂ（後述）に積層状態で載置されている複数のバラ紙幣のうち最下層のバラ紙幣が各キッカローラ１６ｂによりフィードローラ１６ａに向かって（すなわち、図１０における右方向に）蹴り出されるようになっている。また、各キッカローラ１６ｂにより蹴り出されたバラ紙幣はフィードローラ１６ａにより１枚ずつ搬送部１８に繰り出されるようになる。この際に、フィードローラ１６ａにより繰り出されるバラ紙幣はフィードローラ１６ａとゲートローラ１６ｃとの間に形成されたゲート部を通過することにより１枚ずつに分離されるようになっている。
【００５７】
また、図１０に示すように、投入部１４は、複数の紙幣が積層状態で載置される載置板１４ｂを有しており、この載置板１４ｂの上方には紙幣の集積領域１４ａが形成されている。操作者が投入部１４の集積領域１４ａに紙幣の束を投入する際に、載置板１４ｂに複数の紙幣が積層状態で載置されるようになる。また、載置板１４ｂの上方には押さえ部材１４ｃが設けられており、投入部１４に投入されたバラ紙幣を繰出部１６により搬送部１８に繰り出す際に、載置板１４ｂに載置されているバラ紙幣を押さえ部材１４ｃにより下方に向かって押圧するようになっている。このことにより、載置板１４ｂに積層状態で載置されている複数のバラ紙幣のうち最下層のバラ紙幣を各キッカローラ１６ｂにより確実にフィードローラ１６ａに向かって蹴り出すことができるようになる。ここで、図１０に示すように、投入部１４には略鉛直方向に沿って延びる長穴から形成されるガイド溝１４ｅが設けられており、押さえ部材１４ｃの基端部には、ガイド溝１４ｅに沿って移動するピン部材１４ｄが設けられている。そして、ピン部材１４ｄがガイド溝１４ｅに沿って移動することにより、押さえ部材１４ｃは図１０に示すような待機位置から載置板１４ｂに向かって移動することができるようになる（図１１参照）。この押さえ部材１４ｃは、図示しないモータによって駆動されるようになっており、押さえ部材１４ｃが所定の高さ位置で停止可能となるよう当該モータが制御されるようになっている。
【００５８】
また、図１０に示すように、投入部１４の入口近傍には、２組のアクセス検知センサ１４ｆ、１４ｇが上下方向に沿って並ぶよう設けられている。ここで、各アクセス検知センサ１４ｆ、１４ｇは、それぞれ、発光素子および受光素子を有するフォトインタラプタから構成されており、操作者が投入部１４にバラ紙幣の束を投入する際に、操作者の手や操作者により把持されるバラ紙幣の束が各アクセス検知センサ１４ｆ、１４ｇにより検知されることによって投入部１４への操作者のアクセスが検知されるようになる。
【００５９】
また、投入部１４には、集積領域１４ａに存在する金属を検知する金属検知センサ（図示せず）が設けられている。このような金属検知センサが設けられていることにより、載置板１４ｂに積層状態で載置された複数のバラ紙幣の間にクリップ等の金属が挟まっている場合にこのような金属を検知することができるようになる。
【００６０】
また、本実施の形態の貨幣入出金機１には、当該貨幣入出金機１の各構成部材の制御を行う制御部３００が設けられている。より詳細には、図７に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａを駆動する駆動部９１や紙幣繰出繰入部３０ｂ、およびセパレータ３０ｃを退避位置にロックするロック部等）、紙幣検知センサ３１、各バラ紙幣収納部３２（具体的には、各バラ紙幣収納部３２に設けられたステージ３２ａの駆動機構（図示せず）や紙幣繰出繰入部３２ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、引出ユニット１３に設けられたロック機構５０、各シャッター２４ａ、４８ａを開閉させるシャッター駆動部２４ｂ、４８ｂ等がそれぞれ接続されている。そして、識別部２０によるバラ紙幣の識別結果に係る信号や紙幣検知センサ３１によるバラ紙幣の検知結果に係る信号、および判別部６２による帯封紙幣の金種の判別結果に係る情報等が制御部３００に送られるとともに、制御部３００は紙幣入出金装置１０の各構成部材に指令信号を送ることによりこれらの構成部材の動作を制御するようになっている。
【００６１】
また、図７に示すように、制御部３００には、硬貨入出金装置１１０の各構成部材が制御されるようになっており、当該制御部３００は、硬貨入出金装置１１０の各構成部材に指令の信号を送ることによりこれらの構成部材の動作を制御するようになっている。また、制御部３００には、操作表示部３０２、印字部３０４、記憶部３０６および通信インターフェース部３０８がそれぞれ接続されている。図１に示すように、操作表示部３０２は、例えば硬貨入出金装置１１０の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図１に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００６２】
また、図７に示すように、制御部３００には、入金一時保留部３０に収納可能なバラ紙幣の量である収納可能量に係る情報を取得する収納可能量取得手段３８０が接続されている。ここで、入金一時保留部３０における紙幣の保留領域がセパレータ３０ｃにより２つの紙幣収納領域に区分けられた場合には、投入部１４により筐体１２の内部に投入されて搬送部１８により入金一時保留部３０に送られたバラ紙幣はセパレータ３０ｃの上に載置されるようになるが、収納可能量取得手段３８０は、セパレータ３０ｃと紙幣繰出繰入部３０ｂとの間に形成される第２紙幣収納領域に収納可能なバラ紙幣の量に係る情報を収納可能量に係る情報として取得するようになる。このような収納可能量取得手段３８０の機能の詳細については後述する。
【００６３】
次に、このような構成からなる貨幣入出金機１の紙幣入出金装置１０の動作（具体的には、バラ紙幣の入金処理）について説明する。
【００６４】
紙幣入出金装置１０においてバラ紙幣の入金処理を行うにあたり、操作者が操作表示部３０２により操作者ＩＤの入力を行うと、操作表示部３０２には図１３に示すようなメニュー画面が表示されるようになる。そして、図１３に示すような操作表示部３０２のメニュー画面において操作者が「入金」ボタンまたは「オン入金」ボタンを押下することによりバラ紙幣の入金処理開始の指令を制御部３００に与えた後、投入部１４に１または複数のバラ紙幣を積層状態で投入すると、投入部１４に投入されたバラ紙幣は１枚ずつ繰出部１６により筐体１２の内部に繰り出され、この繰り出されたバラ紙幣は搬送部１８により識別部２０に搬送される。ここで、投入部１４に投入されたバラ紙幣が繰出部１６により筐体１２の内部に繰り出される際に、押さえ部材１４ｃが図１０に示すような待機位置から下方に移動することによって、載置板１４ｂ上に積層状態で載置されている複数のバラ紙幣が押さえ部材１４ｃにより上方から下方に向かって押さえられるようになる。そして、識別部２０によりバラ紙幣の金種、真偽、表裏、正損、新旧、搬送状態等が識別された後、表裏反転部２２によりその表裏が揃うように反転させられる。
【００６５】
その後、識別部２０により正常な紙幣であると識別されたバラ紙幣は搬送部１８により入金一時保留部３０に送られ、この入金一時保留部３０に保留される。この際に、搬送部１８から入金一時保留部３０の内部に所定枚数のバラ紙幣が送られる度にステージ３０ａは少しずつ図２における下方向に移動する。また、入金一時保留部３０のセパレータ３０ｃは図示しないロック部により図２の実線で示すような退避位置に位置するようロックされている。一方、識別部２０により正常な紙幣ではないと識別されたバラ紙幣や識別部２０により識別することができなかったバラ紙幣はリジェクト紙幣としてバラ紙幣投出部２４に送られる。また、バラ紙幣投出部２４にバラ紙幣が存在することが図示しない検知センサにより検知されると、このバラ紙幣投出部２４に設けられたシャッター２４ａが開くようになる。このことにより、操作者はバラ紙幣投出部２４からリジェクト紙幣を取り出して投入部１４に再投入等することができるようになる。
【００６６】
そして、投入部１４に投入されたバラ紙幣が全て筐体１２の内部に繰り出されて入金一時保留部３０等に送られることにより投入部１４にバラ紙幣が存在しなくなると、操作表示部３０２には入金確定の指令を操作者に求める画面が表示されるようになる。その後、操作者が操作表示部３０２により入金確定の指令を入力すると、入金されたバラ紙幣の明細書が発行されるとともに、入金一時保留部３０の内部に一時的に保留されているバラ紙幣が紙幣繰出繰入部３０ｂにより搬送部１８に繰り出される。そして、入金一時保留部３０から搬送部１８に繰り出されたバラ紙幣は識別部２０を送られることによりその金種等が識別され、その後、搬送部１８によって各バラ紙幣収納部３２に金種毎に送られ、これらのバラ紙幣収納部３２に金種毎に収納されるようになる。そして、入金一時保留部３０に保留されているバラ紙幣が全て各バラ紙幣収納部３２に振り分けられると、紙幣入出金装置１０におけるバラ紙幣の入金処理の一連の動作が完了する。
【００６７】
一方、操作表示部３０２に入金確定の指令を操作者に求める画面が表示されているときに、操作者が入金確定の指令ではなく返却の指令を入力すると、入金一時保留部３０の内部に一時的に保留されているバラ紙幣が紙幣繰出繰入部３０ｂにより搬送部１８に繰り出され、この繰り出されたバラ紙幣は搬送部１８によりバラ紙幣投出部２４に送られる。そして、入金一時保留部３０に保留されているバラ紙幣が全てバラ紙幣投出部２４に送られると、このバラ紙幣投出部２４に設けられたシャッター２４ａが開くようになる。このことにより、操作者は返却されたバラ紙幣をバラ紙幣投出部２４から取り出すことができるようになる。なお、操作者が操作表示部３０２により返却の指令を入力した後、入金一時保留部３０の前面に設けられた下部扉１２ａを開くことによりバラ紙幣を入金一時保留部３０から筐体１２の外部に直接取り出してもよい。具体的には、操作表示部３０２により返却の指令が入力されると、下部扉１２ａにおいて内扉部分１２ｃが外扉部分１２ｂにロックされるようになり、これらの外扉部分１２ｂおよび内扉部分１２ｃは一体的に開閉するようになる。このことにより、操作者は下部扉１２ａにおける外扉部分１２ｂおよび内扉部分１２ｃを開くとステージ３０ａ上の領域にアクセス可能となり、入金一時保留部３０のステージ３０ａ上に集積されているバラ紙幣を筐体１２の外部に取り出すことができるようになる。
【００６８】
また、貨幣入出金機１の紙幣入出金装置１０においてバラ紙幣の通常の入金処理（以下、通常入金処理ともいう）が行われる途中で、入金確定の指令が入力されて入金一時保留部３０から各バラ紙幣収納部３２にバラ紙幣を振り分ける際に、図１４に示すようなメニュー画面が操作表示部３０２に表示されるようになっている。具体的には、バラ紙幣の通常入金処理が行われる途中で、入金一時保留部３０から各バラ紙幣収納部３２にバラ紙幣を振り分ける際に操作表示部３０２に表示されるメニュー画面では、図１３に示すメニュー画面における「入金」ボタンおよび「オン入金」ボタンがそれぞれ「割込入金」ボタンおよび「割込オン入金」に切り替わるようになる。そして、バラ紙幣の通常入金処理において入金一時保留部３０から各バラ紙幣収納部３２にバラ紙幣が振り分けられる途中で、図１４に示すような操作表示部３０２のメニュー画面において操作者によって「割込入金」ボタンまたは「割込オン入金」ボタンが押下されることにより新たな入金処理の指令が制御部３００に与えられると、バラ紙幣の通常入金処理が中断されるとともに後述するバラ紙幣の割込入金処理が行われるようになる。また、割込入金処理が終了すると、中断されていたバラ紙幣の通常入金処理が再開されるようになる。具体的には、ある操作者が多量のバラ紙幣（例えば、２０００枚のバラ紙幣）の入金処理を行っている途中で、別の操作者が別の取引に係るバラ紙幣の入金処理を行おうとした場合に、最初のバラ紙幣の入金処理が中断され、別の操作者が別の取引に係るバラ紙幣について割込入金処理が行われるようになり、この割込入金処理が終了すると、最初のバラ紙幣の入金処理が再開されるようになる。このことにより、別の操作者が別の取引に係るバラ紙幣の割込入金処理を行うにあたり、最初の操作者による多量のバラ紙幣の入金処理が完了するまで待つ必要がなくなるため操作者にとっての利便性を向上させることができる。
【００６９】
また、本実施の形態では、割込入金処理が行われる際に、入金一時保留部３０における紙幣の保留領域がセパレータ３０ｃにより２つの紙幣収納領域に区分けられるようになっており、割込入金処理において投入部１４により筐体１２の内部に投入されて搬送部１８により入金一時保留部３０に送られたバラ紙幣はセパレータ３０ｃの上に載置されるようになっている。このことにより、通常入金処理が行われる際に入金一時保留部３０に一時的に保留されるバラ紙幣と、割込入金処理が行われる際に入金一時保留部３０に一時的に保留されるバラ紙幣とをセパレータ３０ｃにより区分けすることができるため、割込入金処理を行うまでに行われた通常入金処理を無駄にすることないため作業性を向上させることができる。このような割込入金処理が行われるときの動作について説明する。
【００７０】
図８（ａ）は、バラ紙幣の通常入金処理が行われているときのバラ紙幣の搬送経路を示す図である。上述したように、紙幣入出金装置１０においてバラ紙幣の入金処理を行うにあたり、投入部１４に投入されたバラ紙幣は１枚ずつ繰出部１６により筐体１２の内部に繰り出され、この繰り出されたバラ紙幣は搬送部１８により識別部２０に搬送される。そして、識別部２０によりバラ紙幣の金種、真偽、表裏、正損、新旧、搬送状態等が識別された後、表裏反転部２２によりその表裏が揃うように反転させられる。その後、識別部２０により正常な紙幣であると識別されたバラ紙幣は搬送部１８により入金一時保留部３０に送られ、この入金一時保留部３０に保留される。また、搬送部１８から入金一時保留部３０の内部に所定枚数のバラ紙幣が送られる度にステージ３０ａは少しずつ下方向に移動する。ここで、ステージ３０ａ上に集積されるバラ紙幣を図８や図９において参照符合Ｐで示す。また、バラ紙幣の通常入金処理が行われる際に、入金一時保留部３０のセパレータ３０ｃは図示しないロック部により紙幣繰出繰入部３０ｂよりも上方の退避位置に位置するようロックされている（図９（ａ）参照）。
【００７１】
また、バラ紙幣の通常入金処理が行われている途中で、入金一時保留部３０から各バラ紙幣収納部３２にバラ紙幣を振り分ける際に、図１４に示すような操作表示部３０２のメニュー画面において「割込入金」ボタンまたは「割込オン入金」ボタンが操作者により押下されると、制御部３００に割込入金処理の指令が与えられるようになる。ここで、制御部３００に割込入金処理の指令が与えられると、入金一時保留部３０の出入り口の近傍位置にバラ紙幣が存在しないことが紙幣検知センサ３１により検知されたことを条件として、ロック部によるセパレータ３０ｃのロックが解除され、図８（ｂ）および図９（ｂ）に示すようにセパレータ３０ｃが入金一時保留部３０の内部を２つの紙幣収納領域に区分ける区分け位置に移動するようになる。上述したように、セパレータ３０ｃが区分け位置に移動したときには、当該セパレータ３０ｃは紙幣繰出繰入部３０ｂの下方に位置するようになる。このことにより、ステージ３０ａとセパレータ３０ｃとの間に第１紙幣収納領域が形成されるとともに、セパレータ３０ｃと紙幣繰出繰入部３０ｂとの間に第２紙幣収納領域が形成されるようになる。図９（ｂ）に示すように、上述したバラ紙幣の通常入金処理が行われる際に入金一時保留部３０に既に保留されているバラ紙幣はステージ３０ａとセパレータ３０ｃとの間の第１紙幣収納領域に収納されるようになる。
【００７２】
また、セパレータ３０ｃが区分け位置に移動し、入金一時保留部３０におけるバラ紙幣の保留領域がセパレータ３０ｃにより２つの紙幣収納領域に区分けられると、セパレータ３０ｃと紙幣繰出繰入部３０ｂとの間に形成される第２紙幣収納領域に収納可能なバラ紙幣の量（以下、収納可能量ともいう）に係る情報が収納可能量取得手段３８０により取得される。なお、収納可能量取得手段３８０により取得される収納可能量はセパレータ３０ｃの区分け位置により決まるようになっている。このため、セパレータ３０ｃの区分け位置が予め設定されている場合には、収納可能量取得手段３８０により取得される収納可能量も予め設定された所定の値（例えば、１５０枚）となる。なお、セパレータ３０ｃが図２において実線で示すような退避位置に位置しているときには、収納可能量取得手段３８０により取得される収納可能量は、入金一時保留部３０におけるセパレータ３０ｃにより区分けされていないバラ紙幣の保留領域に保留可能なバラ紙幣の量（例えば、２０００枚）となる。
【００７３】
また、制御部３００に割込入金処理の指令が与えられると、通常入金処理に係る、入金一時保留部３０に既に保留されているバラ紙幣の情報（具体的には、ステージ３０ａとセパレータ３０ｃとの間の第１紙幣収納領域に収納されているバラ紙幣の金種別枚数や合計金額に関する情報）や操作日時情報が操作者のＩＤ情報に紐付けられて記憶部３０６に記憶されるようになる。
【００７４】
また、制御部３００に割込入金処理の指令が与えられると、操作表示部３０２には図１５に示すような割込入金処理に係るバラ紙幣を投入部１４に投入することを操作者に促す画面が表示されるようになる。そして、割込入金処理に係るバラ紙幣が操作者により投入部１４に投入されると、図８（ｃ）に示すように、投入部１４に新たに投入されたバラ紙幣は１枚ずつ繰出部１６により筐体１２の内部に繰り出され、この繰り出されたバラ紙幣は搬送部１８により識別部２０に搬送される。そして、識別部２０によりバラ紙幣の金種、真偽、表裏、正損、新旧、搬送状態等が識別された後、表裏反転部２２によりその表裏が揃うように反転させられる。その後、識別部２０により正常な紙幣であると識別されたバラ紙幣は搬送部１８により入金一時保留部３０に送られ、この入金一時保留部３０に保留される。ここで、割込入金処理に係るバラ紙幣はセパレータ３０ｃの上に載置されるようになる。言い換えると、バラ紙幣の割込入金処理が行われる際に入金一時保留部３０に送られたバラ紙幣は第２紙幣収納領域に収納されるようになる。図８（ｃ）および図９（ｃ）において、バラ紙幣の割込入金処理が行われる際に入金一時保留部３０に送られたバラ紙幣を参照符合Ｐ´で示す。
【００７５】
本実施の形態では、割込入金処理に係るバラ紙幣が全て投入部１４から筐体１２の内部に繰り出されて入金一時保留部３０等に送られることにより投入部１４にバラ紙幣が存在しなくなると、操作表示部３０２には入金確定の指令を操作者に求める画面が表示されるようになる。そして、操作者が操作表示部３０２により入金確定の指令を入力すると、バラ紙幣の割込入金処理に係る明細書が発行されるとともに、入金一時保留部３０の内部に一時的に保留されているバラ紙幣のうちセパレータ３０ｃの上に載置されているバラ紙幣が紙幣繰出繰入部３０ｂにより搬送部１８に繰り出される。そして、入金一時保留部３０から搬送部１８に繰り出されたバラ紙幣は識別部２０に送られることによりその金種等が識別され、その後、搬送部１８によって各バラ紙幣収納部３２に金種毎に送られ、これらのバラ紙幣収納部３２に金種毎に収納されるようになる。そして、入金一時保留部３０の第２紙幣収納領域に保留されているバラ紙幣が全て各バラ紙幣収納部３２に振り分けられると、紙幣入出金装置１０におけるバラ紙幣の割込入金処理の一連の動作が完了する（図８（ｄ）参照）。その後、図８（ｅ）および図９（ｄ）に示すようにセパレータ３０ｃが退避位置に戻るようになる。具体的には、駆動部９１によってステージ３０ａが上昇し、このステージ３０ａ上に載置されているバラ紙幣に乗った状態のセパレータ３０ｃが退避位置まで移動すると、ロック部によりセパレータ３０ｃが退避位置にロックされるようになる。
【００７６】
その後、制御部３００は、バラ紙幣の通常入金処理における入金一時保留部３０から各バラ紙幣収納部３２へのバラ紙幣の振り分け動作が再開されるようになる。具体的には、バラ紙幣の割込入金処理が完了すると、中断していたバラ紙幣の通常入金処理を再開することを操作者に促すメッセージが操作表示部３０２には表示されるようになる。そして、操作者が操作表示部３０２の画面において「確認」のボタンを押下すると、バラ紙幣の通常入金処理における入金一時保留部３０から各バラ紙幣収納部３２へのバラ紙幣の振り分け動作が再開されるようになる。このときに、操作表示部３０２において改めて操作者ＩＤの入力を求め、記憶されている最初の操作者ＩＤと同一であることを条件に、上記の処理を実行できるようにしてもよい。
【００７７】
なお、割込入金処理を行うにあたりセパレータ３０ｃを退避位置から区分け位置に移動させる際に、紙幣検知センサ３１によりバラ紙幣が検知されない場合においてのみ、セパレータ３０ｃやロック部等の区分け機構を作動させるようになっている。このことにより、入金一時保留部３０における例えば紙幣繰出繰入部３０ｂにおいてバラ紙幣の詰まり等の異常が生じたときにセパレータ３０ｃが退避位置から区分け位置に移動してしまうことを防止することができる。
【００７８】
また、本実施の形態では、制御部３００に割込入金処理の指令が与えられると、投入部１４におけるバラ紙幣の受入量を、収納可能量取得手段３８０により取得された収納可能量以下に制限するよう、投入部１４において押さえ部材１４ｃが図１０に示す待機位置から下方に移動し、図１１において実線で示すような途中位置で停止し、この途中位置に維持されるようになっている。このように、投入部１４において押さえ部材１４ｃが載置板１４ｂに接近するよう移動することにより、投入部１４におけるバラ紙幣の受入量を少なくすることができるようになる。なお、図１１において、押さえ部材１４ｃによりバラ紙幣の受入量が制限された投入部１４に投入されるバラ紙幣の束を参照符合Ｐで示す。
【００７９】
本実施の形態の紙幣入出金装置１０において、押さえ部材１４ｃが図１０に示すような待機位置に維持されている場合には、投入部１４における集積領域１４ａに例えば５００枚のバラ紙幣を集積させることができるようになっている。これに対し、バラ紙幣の割込入金処理が行われる際に、収納可能量取得手段３８０により取得された収納可能量が例えば１５０枚である場合には、投入部１４において押さえ部材１４ｃを図１０に示す位置から下方に移動させ、図１１において実線で示すような途中位置で停止させることにより、投入部１４におけるバラ紙幣の受入量を１５０枚以下に制限することができるようになる。
【００８０】
より詳細に説明すると、収納可能量取得手段３８０により取得された収納可能量が例えば１５０枚である場合において、押さえ部材１４ｃが図１０に示すような待機位置に維持されたままのときには、バラ紙幣の割込入金処理において操作者が投入部１４に１５０枚を超えるバラ紙幣を投入するおそれがある。しかしながら、投入部１４に１５０枚を超えるバラ紙幣が投入された場合には、投入部１４に投入された割込入金処理に係るバラ紙幣が筐体１２の内部に繰り出されて識別部２０により識別された後に入金一時保留部３０に送られる際に、入金一時保留部３０のセパレータ３０ｃ上に１５０枚のバラ紙幣が送られると入金一時保留部３０にこれ以上バラ紙幣を保留させることができなくなるため割込入金処理が中断してしまう。この場合には、割込入金処理を取りやめて入金一時保留部３０のセパレータ３０ｃ上に保留されているバラ紙幣を返却したり、入金一時保留部３０のセパレータ３０ｃ上に保留されているバラ紙幣を一旦各バラ紙幣収納部３２に振り分ける等の処理が必要となり、作業性が悪くなってしまうという問題がある。
【００８１】
これに対し、本実施の形態では、上述したように、投入部１４におけるバラ紙幣の受入量を、収納可能量取得手段３８０により取得された収納可能量以下に制限するよう、投入部１４において押さえ部材１４ｃを図１０に示す待機位置から下方に移動させることにより、入金一時保留部３０においてバラ紙幣の保留領域がセパレータ３０ｃにより２つの紙幣収納領域に区分けられることによって当該入金一時保留部３０において収納可能なバラ紙幣の量が変化した場合でも、投入部１４に受け入れられたバラ紙幣を全て入金一時保留部３０に送ることができ、よってバラ紙幣の割込入金処理が途中で中断されてしまうことを防止することができるようになる。
【００８２】
なお、本実施の形態では、紙幣入出金装置１０においてバラ紙幣の通常入金処理が行われる際に、投入部１４において載置板１４ｂ上にバラ紙幣がなくなると当該投入部１４にバラ紙幣の追加投入を行うことができるようになっているが、バラ紙幣の割込入金処理が行われる際に、投入部１４において載置板１４ｂ上にバラ紙幣がなくなったときに当該投入部１４にバラ紙幣が追加投入されても載置板１４ｂ上のバラ紙幣が繰出部１６により筐体１２の内部に繰り出されないようになっている。バラ紙幣の割込入金処理が行われる際に、投入部１４に追加投入されたバラ紙幣を筐体１２の内部に繰り出して入金一時保留部３０に送ると、入金一時保留部３０においてセパレータ３０ｃ上にこれ以上バラ紙幣を保留させることができなくなり割込入金処理が中断してしまうおそれがあるからである。
【００８３】
また、本実施の形態では、図１２に示すように、筐体１２の内部を前面側から見たときの投入部１４の奥側の面には、押さえ部材１４ｃが下方に移動して途中位置で停止したときに割込入金処理になる旨のメッセージ等を表示する第１表示ラベル１５ａが設けられている。また、第１表示ラベル１５ａには、投入部１４におけるバラ紙幣の受入量が収納可能量取得手段３８０により取得された収納可能量（例えば、１５０枚）以下に制限されることも表示されるようになっている。なお、第１表示ラベル１５ａにおいて、投入部１４におけるバラ紙幣の受入量が収納可能量取得手段３８０により取得された収納可能量以下に制限されるという表示が省略されるようになっていてもよい。また、押さえ部材１４ｃの上面には、当該押さえ部材１４ｃ上に物を置かないようにすることを操作者に促す旨のメッセージ等を表示する第２表示ラベル１５ｂが設けられている。そして、投入部１４において押さえ部材１４ｃが図１０に示す待機位置から下方に移動し、図１１において実線で示すような途中位置で停止するようになると、操作者が投入部１４に割込入金処理に係るバラ紙幣を投入する際に第１表示ラベル１５ａおよび第２表示ラベル１５ｂがそれぞれ見えるようになる。このことにより、操作者は割込入金処理を行ってもよいことに気づくとともに、押さえ部材１４ｃ上に操作者が誤って物を載せてしまうことを防止することができるようになる。
【００８４】
また、本実施の形態では、紙幣入出金装置１０においてバラ紙幣の通常入金処理が行われる途中で操作表示部３０２に図１４に示すような割込入金処理に係るメニュー画面を表示させると、操作表示部３０２には、割込入金処理において入金紙幣が収納可能量取得手段３８０により取得された収納可能量（具体的には、例えば１５０枚）以下に制限される旨のメッセージが表示されるようになる。また、図１５に示すような入金画面が操作表示部３０２に表示される場合にも、当該操作表示部３０２には、割込入金処理において入金紙幣が収納可能量取得手段３８０により取得された収納可能量以下に制限される旨のメッセージが表示されるようになる。このように、バラ紙幣の割込入金処理が行われる際に、入金紙幣が収納可能量取得手段３８０により取得された収納可能量以下に制限される旨のメッセージを操作表示部３０２に表示させることにより、操作者が収納可能量よりも多いバラ紙幣を投入部１４に誤って投入してしまうことをより一層確実に防止することができるようになる。また、図１５に示すような割込入金処理に係る入金画面が操作表示部３０２に表示される際に、投入部１４の押さえ部材１４ｃの位置が載置板１４ｂに向かって下方に移動した位置である旨の画面が表示されるようになっていてもよい。
【００８５】
以上のような構成からなる本実施の形態の紙幣入出金装置１０によれば、搬送部１８から送られたバラ紙幣を収納する収納部（より詳細には、収納可能なバラ紙幣の量が可変となっている収納部）として入金一時保留部３０が設けられており、この入金一時保留部３０に収納可能なバラ紙幣の量である収納可能量に係る情報が収納可能量取得手段３８０により取得されるようになっている。また、投入部１４におけるバラ紙幣の受入量を、収納可能量取得手段３８０により取得された収納可能量以下に制限するための受入量規制手段として押さえ部材１４ｃが設けられている。このように、投入部１４におけるバラ紙幣の受入量を、収納可能量取得手段３８０により取得された収納可能量以下に制限するための受入量規制手段が設けられていることにより、入金一時保留部３０において収納可能なバラ紙幣の量が変化した場合でも、投入部１４に受け入れられたバラ紙幣を全て入金一時保留部３０に送ることができ、よってバラ紙幣の割込入金処理が途中で中断されてしまうことを防止することができる。
【００８６】
また、本実施の形態の紙幣入出金装置１０においては、上述したように、入金一時保留部３０におけるバラ紙幣の収納空間を複数の紙幣収納領域に区分け可能な区分け機構としてセパレータ３０ｃや当該セパレータ３０ｃを退避位置でロックするロック部が設けられている。そして、収納可能量取得手段３８０は、入金一時保留部３０における、セパレータ３０ｃ等の区分け機構により区分けされた、搬送部１８からバラ紙幣を送ることが可能な紙幣収納領域の大きさに基づいて収納可能量に係る情報を取得するようになっている。
【００８７】
また、本実施の形態の紙幣入出金装置１０においては、上述したように、収納可能量取得手段３８０は、割込入金処理が行われる際に、入金一時保留部３０に収納可能なバラ紙幣の量である収納可能量に係る情報を取得し、押さえ部材１４ｃ等の受入量規制手段は、割込入金処理が行われる際に、投入部１４におけるバラ紙幣の受入量を、収納可能量取得手段３８０により取得された収納可能量以下に制限するようになっている。
【００８８】
また、本実施の形態の紙幣入出金装置１０においては、上述したように、受入量規制手段は、投入部１４に設けられ、当該投入部１４に受け入れられたバラ紙幣を押さえるために移動可能となっている押さえ部材１４ｃを有しており、押さえ部材１４ｃの位置が変わることにより投入部１４におけるバラ紙幣の受入量が制限されるようになっている。また、この場合、押さえ部材１４ｃの位置が所定の途中位置（具体的には、図１１において実線で示す位置）まで移動したときに投入部１４におけるバラ紙幣の受入量が制限されることを操作者に案内する案内部として第１表示ラベル１５ａが設けられている。
【００８９】
また、本実施の形態の紙幣入出金装置１０においては、上述したように、収納可能量取得手段３８０により取得された収納可能量を報知する報知手段として操作表示部３０２が設けられている。具体的には、図１４および図１５に示すように、割込入金処理が行われる際に操作表示部３０２に表示されるメニュー画面や入金画面では、割込入金処理において入金紙幣が収納可能量取得手段３８０により取得された収納可能量（具体的には、例えば１５０枚）以下に制限される旨のメッセージが表示されるようになる。このように、バラ紙幣の割込入金処理が行われる際に、入金紙幣が収納可能量取得手段３８０により取得された収納可能量以下に制限される旨のメッセージを操作表示部３０２に表示させることにより、操作者が収納可能量よりも多いバラ紙幣を投入部１４に誤って投入してしまうことをより一層確実に防止することができるようになる。なお、収納可能量取得手段３８０により取得された収納可能量を報知する報知手段は操作表示部３０２に限定されることはない。他の種類の報知手段として、収納可能量取得手段３８０により取得された収納可能量を音声により操作者に報知するスピーカー等の音声部が用いられてもよい。
【００９０】
なお、本実施の形態による紙幣入出金装置１０やこのような紙幣入出金装置１０によるバラ紙幣の処理方法は、上述したような態様に限定されることはなく、様々な変更を加えることができる。
【００９１】
例えば、本発明に係る紙幣入出金装置１０は、硬貨入出金装置１１０と組み合わせられることにより貨幣入出金機１を構成するようなものに限定されることはない。本発明に係る紙幣処理装置として、紙幣入出金装置１０が単体で用いられてもよい。この場合には、制御部３００や収納可能量取得手段３８０は紙幣入出金装置１０の筐体１２の内部に設けられるようになっていてもよい。
【００９２】
また、上述した貨幣入出金機１の紙幣入出金装置１０および上位端末等の外部装置３１０を組み合わせることにより本発明に係る紙幣処理システムが構成されるようになっていてもよい。この場合には、上位端末等の外部装置３１０は、紙幣入出金装置１０の管理を行う管理装置として機能するようになる。また、上記の説明では、入金一時保留部３０に収納可能なバラ紙幣の量である収納可能量に係る情報を取得する収納可能量取得手段３８０が貨幣入出金機１に設けられている態様について述べたが、本発明に係る貨幣処理システムでは、管理装置としての外部装置３１０に、紙幣入出金装置１０の入金一時保留部３０に収納可能なバラ紙幣の量である収納可能量に係る情報を取得する収納可能量取得手段が設けられるようになっていてもよい。
【００９３】
また、所定の操作者に対して所定の端末（例えば、携帯電話やスマートフォン、タブレット端末等）が予め割り当てられており、バラ紙幣の割込入金処理が行われる際に収納可能量取得手段３８０により取得された収納可能量が、操作者が所持する端末に表示されるようになっていてもよい。
【００９４】
また、上記の説明では、セパレータ３０ｃには当該セパレータ３０ｃを入金一時保留部３０の内部で上下方向に移動させる駆動源が設けられておらず、セパレータ３０ｃはステージ３０ａと連れ立って入金一時保留部３０の内部で上下方向に移動するようになっているような態様について述べたが、本実施の形態による紙幣入出金装置１０はこのような態様に限定されることはない。他の例として、セパレータ３０ｃを入金一時保留部３０の内部で上下方向に移動させる駆動源が設けられていてもよい。また、セパレータ３０ｃが入金一時保留部３０におけるバラ紙幣の保留空間に上方から進入する代わりに、当該バラ紙幣の保留空間にセパレータ３０ｃが側方から進入するようになっていてもよい。
【００９５】
また、上記の説明では、紙幣入出金装置１０においてバラ紙幣の割込入金処理が行われる際に押さえ部材１４ｃが図１０に示すような待機位置から下方に移動したときに、当該押さえ部材１４ｃが停止する途中位置が１箇所である場合について述べたが、押さえ部材１４ｃが停止する途中位置が２箇所以上であってもよい。例えば、紙幣入出金装置１０においてバラ紙幣の割込入金処理が行われる際に、入金一時保留部３０においてセパレータ３０ｃが退避位置から下方に移動したときの区分け位置が２箇所以上設けられている場合には、収納可能量取得手段３８０により取得される収納可能量の種類も２つ以上となる。このため、収納可能量取得手段３８０により取得された収納可能量の大きさに基づいて、押さえ部材１４ｃが図１０に示すような位置から下方に移動したときに停止する途中位置が複数の途中位置の中から選択されるようになっていてもよい。
【００９６】
また、上述した紙幣入出金装置１０においてバラ紙幣の入金処理が行われる際に、投入部１４から筐体１２の内部に投入されたバラ紙幣が識別部２０により識別された後に入金一時保留部３０に一旦保留されるのではなく、投入部１４から筐体１２の内部に投入されたバラ紙幣が識別部２０により識別された後に各バラ紙幣収納部３２に金種毎に直接送られてこれらのバラ紙幣収納部３２に収納されるようになっていてもよい。この場合、各バラ紙幣収納部３２においてバラ紙幣の収納領域がセパレータ等により区分けされることにより当該バラ紙幣収納部３２における収納可能なバラ紙幣の量が可変となっているときには、バラ紙幣収納部３２に収納可能なバラ紙幣の量である収納可能量に係る情報が収納可能量取得手段３８０により取得されるようになっていてもよい。また、投入部１４におけるバラ紙幣の受入量が、押さえ部材１４ｃ等の受入量規制手段により、収納可能量取得手段３８０により取得された収納可能量以下に制限されるようになっていてもよい。このように、収納可能なバラ紙幣の量が可変となっている収納部として入金一時保留部３０ではなくバラ紙幣収納部３２が用いられてもよい。
【００９７】
また、紙幣入出金装置１０において、投入部１４におけるバラ紙幣の受入量を、収納可能量取得手段３８０により取得された収納可能量以下に制限するための受入量規制手段は押さえ部材１４ｃに限定されることはない。例えば、投入部１４において、押さえ部材１４ｃ以外に、投入部１４におけるバラ紙幣の受入量を制限するための専用の部材が設けられていてもよい。また、投入部１４の内側面にＬＥＤ等の複数の表示部を鉛直方向に沿って並ぶよう配置し、これらの表示部における点灯／消灯の切り替えや点灯色により、投入部１４に投入されるバラ紙幣の受入量を操作者に報知するようにしてもよい。また、投入部１４の入口を開閉するためのシャッターを設置し、このシャッターの停止位置を変えることにより投入部１４の入口の開口量を変えるようにしてもよい。例えば、シャッターを全開状態にしたときに１００枚程度のバラ紙幣を投入可能な大きさの投入部１４であった場合に、半分程度閉じた位置でシャッターを停止させると、投入部１４におけるバラ紙幣の受入量を５０枚程度に制限することができる。このように、シャッターの停止位置を変えることにより投入部１４の入口の開口量を変えることにより、投入部１４におけるバラ紙幣の受入量を、収納可能量取得手段３８０により取得された収納可能量以下に制限することができるようになる。
【００９８】
また、紙幣入出金装置１０において、押さえ部材１４ｃの上面にセンサを設け、押さえ部材１４ｃの上にバラ紙幣が載置されたときに、このセンサにより押さえ部材１４ｃ上のバラ紙幣が検知されるようになっていてもよい。この場合には、押さえ部材１４ｃ上のバラ紙幣がセンサにより検知されたときに、例えば警告音が発せられることにより、押さえ部材１４ｃの上にバラ紙幣が誤って載置されたことが操作者に報知されるようになる。
【００９９】
また、本発明に係る紙幣処理装置として、図１６に示すような紙幣処理装置４１０が用いられるようになっていてもよい。図１６は、変形例に係る紙幣処理装置４１０を側方から見たときの内部構成を示す側面図である。なお、以下の記載では、「紙幣」は全てバラ紙幣を指すものとする。また、図１６における筐体４１２（後述）の左側の側面が紙幣処理装置４１０の前面側（すなわち、紙幣処理装置４１０を手前側から見たときの正面側）となっており、図１６における右方向が筐体４１２の奥行き方向となっている。図１６に示すような紙幣処理装置４１０は、主に出納機として用いられるようになっている。
【０１００】
まず、変形例に係る紙幣処理装置４１０の全体的な構成について説明する。図１６に示すように、紙幣処理装置４１０は略直方体形状の筐体４１２を備えており、この筐体４１２の前面には、当該筐体４１２の外部から内部に紙幣を投入するための投入部４１４が設けられている。また、投入部４１４は、筐体４１２の内部から外部に紙幣を投出するための投出部としても機能するようになっている。すなわち、投入部４１４は、操作者がこの投入部４１４に紙幣を投入したりこの投入部４１４から紙幣を取り出したりすることができるよう構成されている。より詳細には、図１６に示すように投入部４１４は鉛直方向に対して斜めに傾斜しており、この投入部４１４には紙幣が積層状態で斜めに傾斜して投入されるようになっている。また、投入部４１４は、図１６における矢印方向に移動可能となっている載置板４１４ａを有しており、この載置板４１４ａ上に紙幣が積層状態かつ斜めに傾斜した状態で載置されるようになっている。そして、投入部４１４に投入された紙幣が後述する紙幣繰出機構４１５により筐体４１２の内部に繰り出される際に、載置板４１４ａは図１６における右上方向に移動するようになっている。図１６において、投入部４１４に投入された紙幣を参照符号Ｐで示す。
【０１０１】
投入部４１４には紙幣繰出機構４１５が設けられており、この紙幣繰出機構４１５により投入部４１４に集積された紙幣が１枚ずつ筐体４１２の内部に繰り出されるようになっている。また、紙幣の出金処理を行う際には、筐体４１２の内部に設けられた搬送部４１６（後述）から紙幣が１枚ずつ投入部４１４に送られるようになっている。ここで、紙幣繰出機構４１５は、フィードローラ４１５ａと、キッカローラ４１５ｂと、フィードローラ４１５ａに対向するよう設けられたゲートローラ４１５ｃとを有している。投入部４１４に投入された紙幣を紙幣繰出機構４１５により筐体４１２の内部に繰り出す際に、投入部４１４の載置板４１４ａに積層状態で載置されている複数の紙幣のうち最上層の紙幣がキッカローラ４１５ｂによりフィードローラ４１５ａに向かって（すなわち、図１６における右方向に）蹴り出されるようになっている。また、この際に、載置板４１４ａが図１６における右上方向に移動することにより、載置板４１４ａに積層状態で載置されている複数の紙幣のうち最上層の紙幣がキッカローラ４１５ｂに常に接触するようになる。また、キッカローラ４１５ｂにより蹴り出された紙幣はフィードローラ４１５ａにより１枚ずつ後述する搬送部４１６に繰り出されるようになる。この際に、フィードローラ４１５ａにより繰り出される紙幣はフィードローラ４１５ａとゲートローラ４１５ｃとの間に形成されたゲート部を通過することにより１枚ずつに分離されるようになっている。
【０１０２】
また、投入部４１４にはシャッター機構（図示せず）が設けられており、このシャッター機構により投入部４１４の開閉が行われるようになっている。より具体的には、操作者が投入部４１４に紙幣を投入したり投入部４１４から紙幣を取り出したりする際には、シャッター機構が開いて投入部４１４が筐体４１２の外部に露出されるようになっている。一方、投入部４１４に集積された紙幣が１枚ずつ紙幣繰出機構４１５により筐体４１２の内部に繰り出されたり搬送部４１６（後述）から投入部４１４に紙幣が１枚ずつ送られたりする際には、シャッター機構が投入部４１４を塞ぐようになっている。
【０１０３】
図１６に示すように、筐体４１２の内部には、紙幣を１枚ずつ搬送するための搬送部４１６が設けられている。搬送部４１６には投入部４１４が接続されており、投入部４１４に集積され、紙幣繰出機構４１５により筐体４１２の内部に繰り出された紙幣は、搬送部４１６により搬送されるようになっている。また、搬送部４１６における各分岐箇所には分岐部材４２６が設けられている。後述する制御部４５０により各分岐部材４２６が制御されることによって、紙幣の搬送経路が決められるようになっている。
【０１０４】
また、搬送部４１６には識別部４１８が設置されている。識別部４１８は、搬送部４１６で搬送される紙幣の金種や正損、真偽等を識別するようになっている。より具体的には、識別部４１８は、例えば、投入部４１４から筐体４１２の内部に繰り出された紙幣の金種や正損、真偽等を識別するようになっている。また、識別部４１８は、紙幣の搬送状態の識別も行うことができるようになっている。
【０１０５】
図１６に示すように、筐体４１２の前面には入金リジェクト部４２０が設けられている。この入金リジェクト部４２０は搬送部４１６に接続されている。そして、紙幣繰出機構４１５により筐体４１２の内部に繰り出された紙幣のうち、識別部４１８により正常な紙幣であると識別された紙幣以外の紙幣は、リジェクト紙幣として搬送部４１６により入金リジェクト部４２０に送られるようになっている。より具体的には、識別部４１８により偽券であると識別された紙幣や、識別部４１８により識別することができなかった紙幣、あるいは斜行や重送等の搬送異常が検出された紙幣は、リジェクト紙幣として搬送部４１６により入金リジェクト部４２０に送られるようになっている。
【０１０６】
また、筐体４１２の内部には出金リジェクト部４２２が設けられており、この出金リジェクト部４２２は搬送部４１６に接続されている。そして、紙幣の出金処理が行われるときに、後述する収納部４３０から搬送部４１６に繰り出された紙幣のうち、識別部４１８により正常な紙幣であると識別された紙幣以外の紙幣（具体的には例えば斜行や重送等の搬送異常が検出された紙幣）は、搬送部４１６により出金リジェクト部４２２に送られるようになっている。
【０１０７】
図１６に示すように、筐体４１２の下部には複数の収納部４３０が収納されている。各収納部４３０はそれぞれ搬送部４１６に接続されており、搬送部４１６から送られた紙幣を積層状態で収納するとともに、収納された紙幣を１枚ずつ搬送部４１６に繰り出すようになっている。複数の収納部４３０は、入金一時保留部４３２、金種別収納部４３４ａ〜４３４ｃおよび金種混合収納部４３６から構成されている。
【０１０８】
複数の収納部４３０のうち、入金一時保留部４３２は、投入部４１４により筐体４１２の外部から内部に投入され、識別部４１８により正常な紙幣であると識別された紙幣を一時的に保留するようになっている。そして、入金一時保留部４３２により一時的に保留された紙幣は、操作者によって操作表示部（図示せず）により紙幣の入金処理の確定がなされたときに、各金種別収納部４３４ａ〜４３４ｃや金種混合収納部４３６に送られるようになっている。
【０１０９】
各金種別収納部４３４ａ〜４３４ｃは、それぞれ、予め設定された特定の金種の紙幣を収納するようになっている。より具体的に説明すると、各金種別収納部４３４ａ〜４３４ｃにはそれぞれ対応する紙幣の金種が予め設定されており、この設定された金種のみの紙幣を各金種別収納部４３４ａ〜４３４ｃはそれぞれ収納するようになっている。
【０１１０】
一方、金種混合収納部４３６は、複数の金種の紙幣を混合して収納するようになっている。より具体的には、金種混合収納部４３６には、各金種別収納部４３４ａ〜４３４ｃにおいて設定されている金種とは異なる金種の紙幣が収納されるようになっている。また、各金種別収納部４３４ａ〜４３４ｃがフル状態となったときには、この金種別収納部４３４ａ〜４３４ｃに対応する金種の紙幣が搬送部４１６から金種混合収納部４３６に送られ、この金種混合収納部４３６に収納されるようになっている。
【０１１１】
各収納部４３０にはそれぞれ紙幣繰出機構４３０ａが設けられており、各収納部４３０に積層状態で収納された紙幣は紙幣繰出機構４３０ａにより１枚ずつ搬送部４１６に繰り出すことができるようになっている。
【０１１２】
また、入金一時保留部４３２には、当該入金一時保留部４３２における紙幣の保留空間を２つの紙幣収納領域に区分け可能なセパレータ４３２ａが図１６における上下方向に移動自在に設けられている。セパレータ４３２ａは、入金一時保留部４３２の内部を２つの紙幣収納領域に区分ける区分け位置（具体的には、図１６において二点鎖線で示す位置）と、入金一時保留部４３２の内部を１つの紙幣収納領域とする退避位置（具体的には、図１６において実線で示す位置）との間で図１６における上下方向に移動自在となっている。より詳細には、セパレータ４３２ａが区分け位置に移動したときには、当該セパレータ４３２ａは紙幣繰出機構４３０ａの下方に位置するようになる。このことにより、入金一時保留部４３２に設けられたステージ４３２ｂとセパレータ４３２ａとの間に第１紙幣収納領域が形成されるとともに、セパレータ４３２ａと紙幣繰出機構４３０ａとの間に第２紙幣収納領域が形成されるようになる。一方、セパレータ４３２ａが退避位置に移動したときには、当該セパレータ４３２ａは紙幣繰出機構４３０ａの上方に位置するようになる。このことにより、ステージ４３２ｂと紙幣繰出機構４３０ａとの間に１つの紙幣収納領域が形成されるようになる。
【０１１３】
また、筐体４１２の内部には一時集積部４４０が設けられている。この一時集積部４４０には搬送部４１６が接続されており、搬送部４１６から１枚ずつ送られた紙幣が一時集積部４４０に積層状態で集積されるようになっている。一時集積部４４０に集積された紙幣の束は、図示しない帯封部により帯封処理（結束処理）が行われ、帯封紙幣が形成されるようになっている。帯封紙幣は、図示しない帯封紙幣投出部により筐体４１２の外部に投出されたり、筐体４１２内に設けられた帯封紙幣収納部（図示せず）に収納されたりするようになっている。
【０１１４】
また、図１６に示すように、紙幣処理装置４１０の各構成部材の制御を行う制御部４５０が筐体４１２の内部に設けられている。制御部４５０には、投入部４１４に設けられた載置板４１４ａを駆動する駆動部（図示せず）、紙幣繰出機構４１５、搬送部４１６、識別部４１８、各収納部４３０に設けられた紙幣繰出機構４３０ａ、搬送部４１６の各分岐箇所に設けられた分岐部材４２６、投入部４１４に設けられたシャッター機構等が接続されている。ここで、識別部４１８により識別された紙幣の識別情報は制御部４５０に送られるようになっている。また、制御部４５０は、紙幣処理装置４１０の各構成部材に制御信号を送ることによりこれらの構成部材の制御を行うようになっている。
【０１１５】
また、制御部４５０には、入金一時保留部４３２に収納可能な紙幣の量である収納可能量に係る情報を取得する収納可能量取得手段４８０が接続されている。ここで、入金一時保留部４３２における紙幣の保留領域がセパレータ４３２ａにより２つの紙幣収納領域に区分けられた場合には、投入部４１４により筐体４１２の内部に投入されて搬送部４１６により入金一時保留部４３２に送られた紙幣はセパレータ４３２ａの上に載置されるようになるが、収納可能量取得手段４８０は、セパレータ４３２ａと紙幣繰出機構４３０ａとの間に形成される第２紙幣収納領域に収納可能な紙幣の量に係る情報を収納可能量に係る情報として取得するようになる。このような収納可能量取得手段４８０の機能の詳細については後述する。
【０１１６】
次に、上述のような構成からなる紙幣処理装置４１０の動作（具体的には、紙幣の入金処理）について説明する。以下に示すような紙幣処理装置４１０の動作は、制御部４５０が紙幣処理装置４１０の各構成部材の制御を行うことにより行われる。
【０１１７】
紙幣の入金処理を行うにあたり、最初に、紙幣処理装置４１０の投入部４１４のシャッター機構を開き、操作者が紙幣を投入部４１４に投入する。このときに、載置板４１４ａは最も降下した位置（下端位置）で停止している。そして、シャッター機構を閉じると、投入部４１４に投入された紙幣は紙幣繰出機構４１５により１枚ずつ搬送部４１６に繰り出される。紙幣繰出機構４１５により搬送部４１６に繰り出された紙幣は当該搬送部４１６により搬送され、識別部４１８によりその金種や正損、真偽等の識別が行われる。そして、識別部４１８により正常な紙幣であると識別された紙幣は、分岐部材４２６により入金一時保留部４３２に搬送される。入金一時保留部４３２において、搬送部４１６から送られた紙幣が積層状態で一時的に保留される。なお、この際に、セパレータ４３２ａは図１６において実線で示すような退避位置に維持される。
【０１１８】
一方、識別部４１８により正常な紙幣であると識別された紙幣以外の紙幣は、すなわち、識別部４１８により偽券であると識別された紙幣や、識別部４１８により識別することができなかった紙幣、あるいは斜行等の搬送異常が検出された紙幣は、リジェクト紙幣として搬送部４１６により入金リジェクト部４２０に送られ、この入金リジェクト部４２０に集積される。そして、投入部４１４から紙幣が全て筐体４１２の内部に繰り出された後に、入金リジェクト部４２０に集積されたリジェクト紙幣は操作者により取り出されることとなる。
【０１１９】
上述のような動作は、投入部４１４に投入された紙幣が全て筐体４１２の内部に繰り出されるまで行われる。そして、投入部４１４に投入された紙幣が全て筐体４１２の内部に繰り出されると、操作表示部（図示せず）にこのことが表示される。その後、操作者が操作表示部により「入金確定」の指令を制御部４５０に対して行うと、入金一時保留部４３２から紙幣が１枚ずつ紙幣繰出機構４３０ａにより搬送部４１６に繰り出され、この繰り出された紙幣は搬送部４１６により搬送され、識別部４１８によりその金種の識別が行われる。そして、識別部４１８により正常な紙幣であると識別された紙幣は、その金種に対応する各金種別収納部４３４ａ〜４３４ｃに搬送され、これらの金種別収納部４３４ａ〜４３４ｃに収納される。一方、入金一時保留部４３２から繰り出された紙幣について、その金種が、金種別収納部４３４ａ〜４３４ｃにおける金種と一致しない場合や、対応する金種の金種別収納部４３４ａ〜４３４ｃがフル状態である場合には、この紙幣は金種混合収納部４３６に搬送され、この金種混合収納部４３６に金種混合状態で収納される。また、識別部４１８により斜行等の搬送異常が検出された紙幣は、リジェクト紙幣として搬送部４１６により出金リジェクト部４２２に送られ、この出金リジェクト部４２２に集積される。このようにして、入金一時保留部４３２から各金種別収納部４３４ａ〜４３４ｃや金種混合収納部４３６等に紙幣が全て送られると、紙幣の入金処理が終了する。
【０１２０】
また、操作者が操作表示部により「入金確定」の指令の代わりに「返却」の指令を制御部４５０に対して行うと、入金一時保留部４３２から紙幣が１枚ずつ紙幣繰出機構４３０ａにより繰り出され、この繰り出された紙幣は投入部４１４に戻される。そして、入金一時保留部４３２から投入部４１４に全ての紙幣が搬送された後に、この投入部４１４に設けられたシャッター機構が開くことによって、投入部４１４に戻された紙幣は操作者により取り出されることとなる。
【０１２１】
また、図１６に示すような変形例に係る紙幣処理装置４１０において紙幣の通常の入金処理（以下、通常入金処理ともいう）が行われる途中で、入金一時保留部４３２から各金種別収納部４３４ａ〜４３４ｃに紙幣を振り分ける際に、新たな入金処理の指令が操作者によって操作表示部（図示せず）により制御部４５０に与えられると、紙幣の通常入金処理が中断されるとともに後述する紙幣の割込入金処理が行われるようになる。また、割込入金処理が終了すると、中断されていた紙幣の通常入金処理が再開されるようになる。具体的には、ある操作者が多量の紙幣の入金処理を行っている途中で、別の操作者が別の取引に係る紙幣の入金処理を行おうとした場合に、最初の紙幣の入金処理が中断され、別の操作者が別の取引に係る紙幣について割込入金処理が行われるようになり、この割込入金処理が終了すると、最初の紙幣の入金処理が再開されるようになる。このことにより、図１６に示すような変形例に係る紙幣処理装置４１０でも、別の操作者が別の取引に係る紙幣の割込入金処理を行うにあたり、最初の操作者による紙幣の入金処理が完了するまで待つ必要がなくなるため操作者にとっての利便性を向上させることができる。
【０１２２】
また、図１６に示すような変形例に係る紙幣処理装置４１０では、割込入金処理が行われる際に、入金一時保留部４３２における紙幣の保留領域がセパレータ４３２ａにより２つの紙幣収納領域に区分けられるようになっており、割込入金処理において投入部４１４により筐体４１２の内部に投入されて搬送部４１６により入金一時保留部４３２に送られた紙幣はセパレータ４３２ａの上に載置されるようになっている。このことにより、通常入金処理が行われる際に入金一時保留部４３２に一時的に保留される紙幣と、割込入金処理が行われる際に入金一時保留部４３２に一時的に保留される紙幣とをセパレータ４３２ａにより区分けすることができるため、割込入金処理を行うまでに行われた通常入金処理を無駄にすることないため作業性を向上させることができる。
【０１２３】
より詳細には、割込入金処理の指令が操作者によって操作表示部（図示せず）により制御部４５０に与えられると、図１６において二点鎖線に示すようにセパレータ４３２ａが入金一時保留部４３２の内部を２つの紙幣収納領域に区分ける区分け位置に移動するようになる。上述したように、セパレータ４３２ａが区分け位置に移動したときには、当該セパレータ４３２ａは紙幣繰出機構４３０ａの下方に位置するようになる。このことにより、ステージ４３２ｂとセパレータ４３２ａとの間に第１紙幣収納領域が形成されるとともに、セパレータ４３２ａと紙幣繰出機構４３０ａとの間に第２紙幣収納領域が形成されるようになる。ここで、紙幣の通常入金処理が行われる際に入金一時保留部４３２に既に保留されている紙幣はステージ４３２ｂとセパレータ４３２ａとの間の第１紙幣収納領域に収納されるようになる。また、セパレータ４３２ａが図１６において二点鎖線で示すような区分け位置に移動し、入金一時保留部４３２における紙幣の保留領域がセパレータ４３２ａにより２つの紙幣収納領域に区分けられると、セパレータ４３２ａと紙幣繰出機構４３０ａとの間に形成される第２紙幣収納領域に収納可能な紙幣の量（以下、収納可能量ともいう）に係る情報が収納可能量取得手段４８０により取得される。なお、収納可能量取得手段４８０により取得される収納可能量はセパレータ４３２ａの区分け位置により決まるようになっている。このため、セパレータ４３２ａの区分け位置が予め設定されている場合には、収納可能量取得手段４８０により取得される収納可能量も予め設定された所定の値となる。なお、セパレータ４３２ａが図１６において実線で示すような退避位置に位置しているときには、収納可能量取得手段４８０により取得される収納可能量は、入金一時保留部４３２におけるセパレータ４３２ａにより区分けされていない紙幣の保留領域に保留可能な紙幣の量となる。
【０１２４】
また、制御部４５０に割込入金処理の指令が与えられると、操作表示部（図示せず）には割込入金処理に係る紙幣を投入部４１４に投入することを操作者に促す画面が表示されるようになる。そして、割込入金処理に係る紙幣が操作者により投入部４１４に投入されると、投入部４１４に新たに投入された紙幣は１枚ずつ紙幣繰出機構４１５により筐体４１２の内部に繰り出され、この繰り出された紙幣は搬送部４１６により識別部４１８に搬送される。そして、識別部４１８により紙幣の金種等が識別された後、識別部４１８により正常な紙幣であると識別された紙幣は搬送部４１６により入金一時保留部４３２に送られ、この入金一時保留部４３２に保留される。ここで、割込入金処理に係る紙幣はセパレータ４３２ａの上に載置されるようになる。言い換えると、紙幣の割込入金処理が行われる際に入金一時保留部４３２に送られた紙幣は第２紙幣収納領域に収納されるようになる。
【０１２５】
その後、割込入金処理に係る紙幣が全て投入部４１４から筐体４１２の内部に繰り出されて入金一時保留部４３２等に送られることにより投入部４１４に紙幣が存在しなくなると、操作表示部には入金確定の指令を操作者に求める画面が表示されるようになる。そして、操作者が操作表示部により入金確定の指令を入力すると、紙幣の割込入金処理に係る明細書が発行されるとともに、入金一時保留部４３２の内部に一時的に保留されている紙幣のうちセパレータ４３２ａの上に載置されている紙幣が紙幣繰出機構４３０ａにより搬送部４１６に繰り出される。また、入金一時保留部４３２から搬送部４１６に繰り出された紙幣は識別部４１８を送られることによりその金種等が識別され、その後、搬送部４１６によって金種別収納部４３４ａ〜４３４ｃに金種毎に送られ、これらの金種別収納部４３４ａ〜４３４ｃに金種毎に収納されるようになる。そして、入金一時保留部４３２の第２紙幣収納領域に保留されている紙幣が全て各金種別収納部４３４ａ〜４３４ｃに振り分けられると、紙幣処理装置４１０における紙幣の割込入金処理の一連の動作が完了する。その後、セパレータ４３２ａが図１６において実線で示すような退避位置に戻るようになる。
【０１２６】
その後、紙幣の通常入金処理における入金一時保留部４３２から各金種別収納部４３４ａ〜４３４ｃへの紙幣の振り分け動作が再開されるようになる。具体的には、紙幣の割込入金処理が完了すると、中断していた紙幣の通常入金処理を再開することを操作者に促すメッセージが操作表示部に表示されるようになる。そして、操作者が操作表示部の画面において「確認」のボタンを押下すると、紙幣の通常入金処理における入金一時保留部４３２から各金種別収納部４３４ａ〜４３４ｃへの紙幣の振り分け動作が再開されるようになる。このときに、操作表示部において改めて操作者ＩＤの入力を求め、記憶されている最初の操作者ＩＤと同一であることを条件に、上記の処理を実行できるようにしてもよい。
【０１２７】
また、図１６に示すような変形例に係る紙幣処理装置４１０でも、制御部４５０に割込入金処理の指令が与えられると、投入部４１４における紙幣の受入量を、収納可能量取得手段４８０により取得された収納可能量以下に制限するよう、投入部４１４において載置板４１４ａが図１６に示す位置から右上方向に移動した後、途中位置で停止し、この途中位置に維持されるようになっている。このように、投入部４１４において載置板４１４ａが紙幣繰出機構４１５のキッカローラ４１５ｂに接近するよう移動することにより、投入部４１４における紙幣の受入量を少なくすることができるようになる。例えば、載置板４１４ａが投入部４１４における下端位置に維持されている場合には、投入部４１４に例えば５００枚の紙幣を集積させることができるようになっている。これに対し、紙幣の割込入金処理が行われる際に、収納可能量取得手段４８０により取得された収納可能量が例えば１５０枚である場合には、投入部４１４において載置板４１４ａを図１６に示す位置から右上方向に移動させた後、途中位置で停止させることにより、投入部４１４における紙幣の受入量を１５０枚以下に制限することができるようになる。
【０１２８】
このように、図１６に示すような紙幣処理装置４１０でも、図１乃至図１５に示す紙幣入出金装置１０と同様に、搬送部４１６から送られた紙幣を収納する収納部として入金一時保留部４３２が設けられており、この入金一時保留部４３２に収納可能な紙幣の量である収納可能量に係る情報が収納可能量取得手段４８０により取得されるようになっている。また、投入部４１４における紙幣の受入量を、収納可能量取得手段４８０により取得された収納可能量以下に制限するための受入量規制手段として載置板４１４ａが設けられている。このように、投入部４１４における紙幣の受入量を、収納可能量取得手段４８０により取得された収納可能量以下に制限するための受入量規制手段が設けられていることにより、入金一時保留部４３２において収納可能な紙幣の量が変化した場合でも、投入部４１４に受け入れられた紙幣を全て入金一時保留部４３２に送ることができ、よって紙幣の割込入金処理が途中で中断されてしまうことを防止することができる。
【０１２９】
また、図１乃至図１５に示す貨幣入出金機１における紙幣入出金装置１０や図１６に示す紙幣処理装置４１０は紙幣の処理を行うものであるが、本発明に係る紙葉類処理装置は紙幣の処理を行うものに限定されることはない。本発明に係る紙葉類処理装置として、小切手、商品券、投票用紙等の紙幣以外の紙葉類を処理するものが用いられてもよい。
【０１３０】
また、本発明に係る紙葉類処理装置における一時保留部は、紙葉類が積層状態で集積されるようなものに限定されることはない。本発明に係る紙葉類処理装置における一時保留部として、その一端がドラムの外周面に取り付けられた帯状のテープにより紙葉類をテープごとドラムに巻き取るようなもの（いわゆる、テープ巻取方式）が用いられてもよい。この場合には、テープによりドラムに巻き取られる紙葉類の間の間隔を通常の間隔よりも大きくすることによって、テープ巻取方式の一時保留部における紙葉類の保留空間を複数の紙葉類収納領域に区分けることができるようになる。このような一時保留部としてテープ巻取方式のものが設けられている紙葉類処理装置（具体的には、有価媒体処理装置）の構成について図１７を用いて説明する。
【０１３１】
図１７は、変形例に係る有価媒体処理装置５００を側方から見たときの内部構成を示す側面図である。また、図１７における筐体５０２（後述）の左側の側面が有価媒体処理装置５００の前面側（すなわち、有価媒体処理装置５００を手前側から見たときの正面側）となっており、図１７における右方向が筐体５０２の奥行き方向となっている。図１７に示すような有価媒体処理装置５００も、主に出納機として用いられるようになっている。なお、以下の記載では、「紙幣」は全てバラ紙幣を指すものとする。また、「有価媒体」とは、損券や旧券等の紙幣、および紙幣以外の特定の有価証券を含むものである。また、「特定の有価証券」とは、小切手や手形等の予め設定された種類の有価証券のことをいう。なお、図１７に示すような変形例に係る有価媒体処理装置５００により処理される有価媒体は紙葉類であり、このような有価媒体処理装置５００は、紙葉類の処理を行う紙葉類処理装置の一種である。
【０１３２】
まず、変形例に係る有価媒体処理装置５００の全体的な構成について説明する。図１７に示すように、有価媒体処理装置５００は略直方体形状の筐体５０２を備えており、この筐体５０２の前面上部には、当該筐体５０２の外部から内部に有価媒体を投入するための投入部５１０が設けられている。また、筐体５０２の前面には、筐体５０２の内部に収納された新券を機体外に投出するための投出部５６０が設けられている。また、投入部５１０には繰出機構５１２が設けられており、操作者によって投入部５１０に集積状態で投入された有価媒体は繰出機構５１２により機体内に１枚ずつ繰り出されるようになっている。図１７に示すように、有価媒体処理装置５００の機体内には搬送部５１４が設けられており、繰出機構５１２により１枚ずつ投入部５１０から繰り出された有価媒体は搬送部５１４により１枚ずつ搬送されるようになっている。
【０１３３】
図１７に示すように、投入部５１０は、複数の紙幣が積層状態で載置される載置板５１０ｂを有しており、この載置板５１０ｂの上方には紙幣の集積領域５１０ａが形成されている。操作者が投入部５１０の集積領域５１０ａに紙幣の束を投入する際に、載置板５１０ｂに複数の紙幣が積層状態で載置されるようになる。また、載置板５１０ｂの上方には押さえ部材５１０ｃが設けられており、投入部５１０に投入された紙幣を繰出機構５１２により搬送部５１４に繰り出す際に、載置板５１０ｂに載置されている紙幣を押さえ部材５１０ｃにより下方に向かって押圧するようになっている。このことにより、載置板５１０ｂに積層状態で載置されている複数の紙幣のうち最下層の紙幣を繰出機構５１２により確実に搬送部５１４に繰り出すことができるようになる。ここで、図１７に示すように、投入部５１０には略鉛直方向に沿って延びる長穴から形成されるガイド溝５１０ｅが設けられており、押さえ部材５１０ｃの基端部には、ガイド溝５１０ｅに沿って移動するピン部材５１０ｄが設けられている。そして、ピン部材５１０ｄがガイド溝５１０ｅに沿って移動することにより、押さえ部材５１０ｃは図１７に示すような待機位置から載置板５１０ｂに向かって移動することができるようになる。この押さえ部材５１０ｃは、図示しないモータによって駆動されるようになっており、押さえ部材５１０ｃが所定の高さ位置で停止可能となるよう当該モータが制御されるようになっている。
【０１３４】
また、搬送部５１４には撮像部５１６が設けられており、この撮像部５１６は、有価媒体処理装置５００の機体内に投入された有価媒体を撮像して画像データを得るようになっている。また、搬送部５１４には一時保留部５２０が設けられており、有価媒体処理装置５００の機体内に投入された有価媒体は一時保留部５２０に一時的に保留されるようになっている。一時保留部５２０はテープ巻取方式のものからなる。より具体的には、一時保留部５２０は、正逆両方向に回転可能なドラム５２０ａを有しており、このドラム５２０ａに一対のテープが巻き取られるようになっている。そして、搬送部５１４から一時保留部５２０に送られた有価媒体は、この一対のテープの間に挟まれた状態で１枚ずつ順次ドラム５２０ａにより巻き取られて収納されるようになっている。また、ドラム５２０ａを逆転させると、巻き取られた有価媒体が１枚ずつ繰り出されて、搬送部５１４に送られるようになっている。
【０１３５】
また、変形例に係る有価媒体処理装置５００では、テープ巻取方式の一時保留部５２０において、テープによりドラム５２０ａに巻き取られる有価媒体の間の間隔を通常の間隔よりも大きくすることによって、一時保留部５２０における有価媒体の保留空間を複数の有価媒体収納領域に区分けることができるようになっている。
【０１３６】
また、有価媒体処理装置５００の機体内には、小切手や手形等の特定の有価証券を収納する特定有価証券収納部５３０と、損券や旧券を収納する損券収納部５４０、５４２とがそれぞれ設けられている。より具体的には、特定有価証券収納部５３０は、第１の収納部５３０ａ、第２の収納部５３０ｂおよび第３の収納部５３０ｃからなる３つの収納部から構成されており、第１の収納部５３０ａには、有価媒体処理装置５００が設置されている銀行と同じ銀行における他の支店で発行された小切手等が収納されるようになっている。また、第２の収納部５３０ｂや第３の収納部５３０ｃには、有価媒体処理装置５００が設置されている銀行とは異なる銀行で発行された小切手等が収納されるようになっている。また、特定有価証券収納部５３０の各収納部５３０ａ、５３０ｂ、５３０ｃはそれぞれスタッカ方式のものからなり、搬送部５１４からこれらの収納部５３０ａ、５３０ｂ、５３０ｃに送られた小切手等は、既に収納部５３０ａ、５３０ｂ、５３０ｃに収納されている小切手等の上に積み重ねられるようになっている。
【０１３７】
損券収納部５４０、５４２には損券や旧券が収納されるようになっている。ここで、損券収納部５４０はスタッカ方式のものからなり、搬送部５１４から損券収納部５４０に送られた損券や旧券は、既に損券収納部５４０に収納されている損券や旧券の上に積み重ねられるようになっている。一方、損券収納部５４２はテープ巻取方式のものからなる。より具体的には、損券収納部５４２は、正逆両方向に回転可能なドラム５４２ａを有しており、このドラム５４２ａに一対のテープが巻き取られるようになっている。そして、搬送部５１４から損券収納部５４２に送られた損券や旧券は、この一対のテープの間に挟まれた状態で１枚ずつ順次ドラム５４２ａにより巻き取られて収納されるようになっている。また、ドラム５４２ａを逆転させると、巻き取られた損券や旧券が１枚ずつ繰り出されて、搬送部５１４に送られるようになっている。
【０１３８】
図１７に示すように、小切手等の特定の有価証券を収納する特定有価証券収納部５３０は、損券や旧券を収納する損券収納部５４０、５４２の上方に設けられている。また、一時保留部５２０は特定有価証券収納部５３０や損券収納部５４０、５４２の上方に設けられている。
【０１３９】
また、有価媒体処理装置５００の筐体５０２の内部には、新券を収納する新券収納部５５０が設けられている。より具体的には、新券収納部５５０は、第１の収納部５５０ａ、第２の収納部５５０ｂ、第３の収納部５５０ｃおよび第４の収納部５５０ｄからなる４つの収納部から構成されており、第１の収納部５５０ａには新券の１万円札が、第２の収納部５５０ｂには新券の千円札が、第３の収納部５５０ｃには新券の五千円札がそれぞれ収納されている。また、第４の収納部５５０ｄに収納される新券の金種については操作者が選択することができるようになっている。これらの各収納部５５０ａ、５５０ｂ、５５０ｃ、５５０ｄにはそれぞれ繰出機構５５２ａ、５５２ｂ、５５２ｃ、５５２ｄが設けられており、収納部５５０ａ、５５０ｂ、５５０ｃ、５５０ｄに収納されている新券はそれぞれ繰出機構５５２ａ、５５２ｂ、５５２ｃ、５５２ｄにより搬送部５１４に１枚ずつ繰り出されるようになっている。なお、新券収納部５５０に収納される「新券」とは、中央銀行から銀行等の金融機関に配送され、市場に未だ流通していない官封券のことをいう。
【０１４０】
投出部５６０は搬送部５１４に接続されており、搬送部５１４から投出部５６０に送られた新券等の有価媒体は当該投出部５６０で積み重ねられるようになっている。また、投出部５６０には羽根車５６２が設けられており、搬送部５１４から羽根車５６２に送られた新券等の有価媒体は、羽根車５６２における一対の羽根の間に挟まれた状態で当該羽根車５６２が図１７における反時計回りの方向に回転することにより投出部５６０に送られるようになっている。このような羽根車５６２が設けられていることにより、投出部５６０に集積される新券等の有価媒体の整列を行うことができる。また、投出部５６０にはシャッター５６１ａが設けられており、このシャッター５６１ａが開放状態となったときに、投出部５６０に集積された新券等の有価媒体を操作者が取り出すことができるようになっている。また、投出部５６０には抜き取り検知部５６１ｂが設けられており、投出部５６０に集積された新券等の有価媒体が当該投出部５６０から抜き取られると、抜き取り検知部５６１ｂによりこのことが検知されるようになっている。
【０１４１】
図１７に示すように、有価媒体処理装置５００の機体内で有価媒体を搬送する搬送部５１４は、第１の搬送部５１４ａおよび第２の搬送部５１４ｂから構成されている。ここで、第１の搬送部５１４ａは、投入部５１０により筐体５０２の内部に投入された有価媒体を一時保留部５２０や特定有価証券収納部５３０、損券収納部５４０に搬送するようになっている。一方、第２の搬送部５１４ｂは、新券収納部５５０に収納された新券を投出部５６０に搬送するようになっている。ここで、第１の搬送部５１４ａにおける有価媒体の搬送路、および第２の搬送部５１４ｂにおける新券の搬送路は互いに独立して設けられている。すなわち、第１の搬送部５１４ａは、図１７における二点鎖線で示す仮想線Ｌの右側に設けられており、第２の搬送部５１４ｂは、図１７における二点鎖線で示す仮想線Ｌの左側に設けられており、両者は接続箇所５１４ｐで接続されているものの、それ以外の箇所では互いに独立したものとなっている。
【０１４２】
また、搬送部５１４における第２の搬送部５１４ｂには簡易識別部５６４が設けられている。この簡易識別部５６４は、新券収納部５５０から第２の搬送部５１４ｂに繰り出された新券の金種のみの識別を行うようになっている。
【０１４３】
また、有価媒体処理装置５００の前面（図１７における左側の側面）には扉５１８が設けられている。特定の権限を有する者はこの扉５１８を開けて有価媒体処理装置５００の機体の内部にアクセスすることができるようになっており、このことにより新券収納部５５０に新券を補充したりこの新券収納部５５０から新券を取り出したりすることができるようになっている。
【０１４４】
また、図１７に示すように、有価媒体処理装置５００の筐体５０２の内部には制御部５７０が設けられており、この制御部５７０により有価媒体処理装置５００の各構成部材が制御されるようになっている。より詳細には、制御部５７０には撮像部５１６、搬送部５１４、特定有価証券収納部５３０、損券収納部５４０、５４２、新券収納部５５０、投入部５１０、投出部５６０、一時保留部５２０等が接続されている。前述のように、撮像部５１６は、有価媒体処理装置５００の機体内に投入された有価媒体を撮像して画像データを得るようになっているが、撮像部５１６により得られた画像データは制御部５７０に送られるようになっている。また、制御部５７０は、搬送部５１４、特定有価証券収納部５３０、損券収納部５４０、５４２、新券収納部５５０、投入部５１０、投出部５６０、一時保留部５２０等の各構成部材に指令信号を送ることによりこれらの構成部材の制御を行うようになっている。
【０１４５】
また、制御部５７０には、一時保留部５２０に収納可能な有価媒体の量である収納可能量に係る情報を取得する収納可能量取得手段５８０が接続されている。より詳細には、テープ巻取方式の一時保留部５２０では、テープによりドラム５２０ａに巻き取られた有価媒体は奥側に収納されるようになる。このため、ドラム５２０ａに巻き取られていないような残りのテープでドラム５２０ａに巻き取ることができる有価媒体の枚数が、上記の収納可能量となる。ここで、テープの全長は予め決まっており、ドラム５２０ａに巻き取られたテープの量は当該ドラム５２０ａの回転量等に基づいて把握することができるため、ドラム５２０ａに巻き取られていないような残りのテープの長さを算出することができる。例えば、全体で１００枚程度の有価媒体を保留可能な一時保留部５２０において、テープにより３０枚の有価媒体がドラム５２０ａに巻き取られている場合には、ドラム５２０ａに巻き取られていないような残りのテープの長さに基づいて、一時保留部５２０に収納可能な有価媒体の量である収納可能量は７０枚となることが算出される。また、有価媒体の大きさによって一時保留部５２０に収納可能な有価媒体の枚数が変わる可能性があるが、テープによる巻取方向における有価媒体の長さと有価媒体の間の間隔の大きさとの合計であるピッチを一定にすることにより、一時保留部５２０に収納可能な有価媒体の枚数を所定の値とすることができ、よって一時保留部５２０に保留される有価媒体の枚数管理が容易となる。また、有価媒体処理装置５００において有価媒体の割込入金処理を行う場合は、１回目の入金処理で一時保留部５２０に最後に保留された有価媒体の後端縁と、２回目の入金処理で一時保留部５２０に最初に保留される有価媒体の先端縁との間の間隔を通常の有価媒体の間の間隔よりも大きくすることにより、１回目の入金処理で一時保留部５２０に保留される有価媒体と、２回目の入金処理で一時保留部５２０に保留される有価媒体とを確実に分離することができるようになる。
【０１４６】
次に、上述のような構成からなる有価媒体処理装置５００の動作（具体的には、有価媒体の入金処理）について説明する。以下に示すような有価媒体処理装置５００の動作は、制御部５７０が有価媒体処理装置５００の各構成部材の制御を行うことにより行われる。
【０１４７】
有価媒体処理装置５００において有価媒体の入金処理を行うにあたり、操作者はまず所有するＩＤカードをＩＤカードリーダ（図示せず）により読み取らせる。制御部５７０は、ＩＤカードリーダによって読み取られたＩＤカードのＩＤ情報に基づいて、操作者の権限等を確認する。次に、操作者は、操作表示部（図示せず）により入金モードを選択する。具体的には、操作表示部には入金モードとして「一枚取込モード」「一括取込モード」「再取込モード」という３つのモードが表示され、操作者はこれらの３つのモードのうちから１つのモードを選択する。その後、操作者が投入部５１０に有価媒体を投入すると、繰出機構５１２により有価媒体が筐体５０２の内部に１枚ずつ繰り出され、搬送部５１４の第１の搬送部５１４ａにより筐体５０２の内部で搬送される。その後、この有価媒体は撮像部５１６により撮像され、撮像された有価媒体の画像データが得られる。そして、制御部５７０は、筐体５０２の内部に投入された有価媒体に、斜行状態や重送状態（二枚以上重なった状態）である等の搬送異常がないかどうかを判別する。そして、搬送異常がないと判別された有価媒体は一時保留部５２０に搬送され、この一時保留部５２０で一時的に保留される。一方、筐体５０２の内部に投入された有価媒体に異常がある場合には、この有価媒体は搬送部５１４の第１の搬送部５１４ａにより投出部５６０に搬送され、筐体５０２の外部に返却されるようになる。ここで、入金モードを選択する際に一枚取込モードが選択されていた場合には、有価媒体処理装置５００における入金動作が終了する。一方、入金モードを選択する際に一枚取込モードが選択されておらず、代わりに一括取込モードや再取込モードが選択されていた場合には、投入部５１０に投入された有価媒体が繰出機構５１２により筐体５０２の内部に１枚ずつ取り込まれるという動作が引き続き行われるようになる。
【０１４８】
有価媒体が一時保留部５２０に保留されると、操作表示部（図示せず）には有価媒体の画像データが表示されるようになる。そして、操作者は、操作表示部に表示された有価媒体の画像データに基づいて、操作表示部により入金データを入力する。ここで、入金データとは、撮像部５１６により撮像された有価媒体の種類（具体的には、紙幣、小切手、手形等の種類）や価値等のことをいう。また、有価媒体の種類が紙幣である場合には、紙幣の金種や新旧に係る情報も入金データとして入力する。操作者が操作表示部により入金データを入力すると、操作表示部には、入金データと、有価媒体の画像データとが並列に表示されるようになる。
【０１４９】
その後、投入部５１０に投入された有価媒体が全て筐体５０２の内部に取り込まれ、これらの有価媒体が一時保留部５２０に保留された後、操作表示部には、入金データの確定を求める旨の表示がなされる。そして、操作者が入金データの確定の指令を行うと、一時保留部５２０に一時的に保留された有価媒体は搬送部５１４の第１の搬送部５１４ａにより１枚ずつ搬送され、特定有価証券収納部５３０の各収納部５３０ａ〜５３０ｃや損券収納部５４０、５４２に分類収納されるようになる。その後、入力された入金データは有価媒体処理装置５００に設けられた記憶部（図示せず）に記憶される。一方、操作者が入金データの確定を行う代わりに、入金データの修正を行った場合には、入力された入金データの修正が行われる。その後、操作表示部には、修正された入金データの確定を求める旨の表示がなされる。一方、入金データの修正も行われず、有価媒体の返却の指令が操作表示部により入力された場合には、一時保留部５２０に一時的に保留された有価媒体は搬送部５１４の第１の搬送部５１４ａにより投出部５６０に搬送され、筐体５０２の外部に返却されるようになる。このようにして、有価媒体処理装置５００への有価媒体の入金動作が完了する。
【０１５０】
また、有価媒体処理装置５００において有価媒体の通常の入金処理（以下、通常入金処理ともいう）が行われる途中で、一時保留部５２０から特定有価証券収納部５３０の各収納部５３０ａ〜５３０ｃや各損券収納部５４０、５４２に有価媒体を振り分ける途中で、新たな入金処理の指令が操作者により制御部５７０に与えられると、有価媒体の通常入金処理が中断されるとともに後述する有価媒体の割込入金処理が行われるようになる。また、割込入金処理が終了すると、中断されていた有価媒体の通常入金処理が再開されるようになる。このことにより、別の操作者が別の取引に係る有価媒体の割込入金処理を行うにあたり、最初の操作者による有価媒体の入金処理が完了するまで待つ必要がなくなるため操作者にとっての利便性を向上させることができる。
【０１５１】
また、本実施の形態では、割込入金処理が行われる際に、一時保留部５２０における有価媒体の保留領域が複数の有価媒体収納領域に区分けられるようになっており、割込入金処理において投入部５１０により筐体５０２の内部に投入されて搬送部５１４により一時保留部５２０に送られた有価媒体は、一時保留部５２０において区分けられた複数の有価媒体収納領域のうち一時保留部５２０の出入り口に近い側の有価媒体収納領域に収納されるようになっている。このことにより、通常入金処理が行われる際に一時保留部５２０に一時的に保留される有価媒体と、割込入金処理が行われる際に一時保留部５２０に一時的に保留される有価媒体とを分離することができるため、割込入金処理を行うまでに行われた通常入金処理を無駄にすることないため作業性を向上させることができる。
【０１５２】
また、割込入金処理が行われる際に、一時保留部５２０における有価媒体の保留領域が複数の有価媒体収納領域に区分けられると、区分けられた複数の有価媒体収納領域のうち一時保留部５２０の出入り口に近い側の有価媒体収納領域に収納可能な有価媒体の量（以下、収納可能量ともいう）に係る情報が収納可能量取得手段５８０により取得される。
【０１５３】
また、図１７に示すような変形例に係る有価媒体処理装置５００では、制御部５７０に割込入金処理の指令が与えられると、投入部５１０における有価媒体の受入量を、収納可能量取得手段５８０により取得された収納可能量以下に制限するよう、投入部５１０において押さえ部材５１０ｃが図１７に示す待機位置から下方に移動し、その後、途中位置で停止し、この途中位置に維持されるようになっている。このように、投入部５１０において押さえ部材５１０ｃが載置板５１０ｂに接近するよう移動することにより、投入部５１０における有価媒体の受入量を少なくすることができるようになる。
【０１５４】
ここで、図１７に示すような変形例に係る有価媒体処理装置５００において、押さえ部材５１０ｃが実線で示す待機位置に維持されている場合には、投入部５１０における集積領域５１０ａに例えば１００枚の有価媒体を集積させることができるようになっている。これに対し、有価媒体の割込入金処理が行われる際に、収納可能量取得手段５８０により取得された収納可能量が例えば５０枚である場合には、投入部５１０において押さえ部材５１０ｃを図１７において実線で示す待機位置から下方に移動させ、途中位置で停止させることにより、投入部５１０における有価媒体の受入量を５０枚以下に制限することができるようになる。
【０１５５】
このように、図１７に示すような有価媒体処理装置５００でも、図１乃至図１５に示す紙幣入出金装置１０と同様に、搬送部５１４から送られた有価媒体（紙葉類）を収納する収納部として一時保留部５２０が設けられており、この一時保留部５２０に収納可能な有価媒体の量である収納可能量に係る情報が収納可能量取得手段５８０により取得されるようになっている。また、投入部５１０における有価媒体の受入量を、収納可能量取得手段５８０により取得された収納可能量以下に制限するための受入量規制手段として押さえ部材５１０ｃが設けられている。このように、投入部５１０における有価媒体の受入量を、収納可能量取得手段５８０により取得された収納可能量以下に制限するための受入量規制手段が設けられていることにより、テープ巻取方式の一時保留部５２０において収納可能な有価媒体の量が変化した場合でも、投入部５１０に受け入れられた有価媒体を全て一時保留部５２０に送ることができ、よって有価媒体の割込入金処理が途中で中断されてしまうことを防止することができる。
【０１５６】
また、本発明に係る紙葉類処理装置として、識別部により紙幣の記番号を読み取ることができるものが用いられる場合には、筐体の内部に投入されて識別部により識別された後に一時保留部に保留される紙幣について、一時保留部の保留領域をセパレータ等の区分け機構により区分けしなくても、一時保留部に保留されている紙幣について通常入金処理に係る紙幣と割込入金処理に係る紙幣とを区分けることができる。このため、このような紙葉類処理装置では、一時保留部における紙幣の保留空間を区分け機構により複数の紙幣収納領域に区分けしなくても、紙幣の通常入金処理を行っている途中でこの紙幣の通常入金処理を中断させて紙幣の割込入金処理を行うことができるようになる。
【符号の説明】
【０１５７】
１        貨幣入出金機
１０      紙幣入出金装置
１２      筐体
１２ａ    下部扉
１２ｂ    外扉部分
１２ｃ    内扉部分
１３      引出ユニット
１４      投入部
１４ａ    集積領域
１４ｂ    載置板
１４ｃ    押さえ部材
１４ｄ    ピン部材
１４ｅ    ガイド溝
１４ｆ、１４ｇ  アクセス検知センサ
１５ａ    第１表示ラベル
１５ｂ    第２表示ラベル
１６      繰出部
１６ａ    フィードローラ
１６ｂ    キッカローラ
１６ｃ    ゲートローラ
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３０ｃ    セパレータ
３１      紙幣検知センサ
３２      バラ紙幣収納部
３２ａ    ステージ
３２ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
５０      ロック機構
６０      帯封紙幣搬送部
６０ａ    突起
６０ｂ    循環ベルト
６２      判別部
７０      帯封紙幣収納部
７０ａ    ステージ
８０ａ    フィードローラ
８０ｂ    キッカローラ
８０ｃ    ゲートローラ
９０ａ    検知板
９１      駆動部
９１ａ    駆動モータ
９１ｂ    循環ベルト
９２ａ、９２ｂ  検知センサ
９４      上側セパレータ部分
９４ａ    検知板
９５ａ〜９５ｃ  検知センサ
９６      下側セパレータ部分
１１０    硬貨入出金装置
３００    制御部
３０２    操作表示部
３０４    印字部
３０６    記憶部
３０８    通信インターフェース部
３１０    外部装置
３８０    収納可能量取得手段
４１０    紙幣処理装置
４１２    筐体
４１４    投入部
４１４ａ  載置板
４１５    紙幣繰出機構
４１５ａ  フィードローラ
４１５ｂ  キッカローラ
４１５ｃ  ゲートローラ
４１６    搬送部
４１８    識別部
４２０    入金リジェクト部
４２２    出金リジェクト部
４２６    分岐部材
４３０    収納部
４３０ａ  紙幣繰出機構
４３２    入金一時保留部
４３２ａ  セパレータ
４３２ｂ  ステージ
４３４ａ〜４３４ｃ  金種別収納部
４３６    金種混合収納部
４４０    一時集積部
４５０    制御部
４８０    収納可能量取得手段
５００    有価媒体処理装置
５０２    筐体
５１０    投入部
５１０ａ  集積領域
５１０ｂ  載置板
５１０ｃ  押さえ部材
５１０ｄ  ピン部材
５１０ｅ  ガイド溝
５１２    繰出機構
５１４    搬送部
５１４ａ  第１の搬送部
５１４ｂ  第２の搬送部
５１４ｐ  接続箇所
５１６    撮像部
５１８    扉
５２０    一時保留部
５２０ａ  ドラム
５３０    特定有価証券収納部
５３０ａ〜５３０ｃ  第１〜第３の収納部
５４０、５４２  損券収納部
５４２    損券収納部
５４２ａ  ドラム
５５０    新券収納部
５５０ａ〜５５０ｄ  第１〜第４の収納部
５５２ａ〜５５２ｄ  繰出機構
５６０    投出部
５６１ａ  シャッター
５６１ｂ  抜き取り検知部
５６２    羽根車
５６４    簡易識別部
５７０    制御部
５８０    収納可能量取得手段
【図１】
0006621675.tif 000002
【図２】
0006621675.tif 000003
【図３】
0006621675.tif 000004
【図４】
0006621675.tif 000005
【図５】
0006621675.tif 000006
【図６】
0006621675.tif 000007
【図７】
0006621675.tif 000008
【図８】
0006621675.tif 000009
【図９】
0006621675.tif 000010
【図１０】
0006621675.tif 000011
【図１１】
0006621675.tif 000012
【図１２】
0006621675.tif 000013
【図１３】
0006621675.tif 000014
【図１４】
0006621675.tif 000015
【図１５】
0006621675.tif 000016
【図１６】
0006621675.tif 000017
【図１７】
0006621675.tif 000018